(57)【要約】本開示の態様は、ワイヤレス通信システムにおいてロケーション情報を報告するための技法を提供する。いくつかのケースでは、装置は、報告される値の正確性の度合いのインジケーションを提供し得る。【選択図】図８
2018505406.tif 000002
【特許請求の範囲】
【請求項１】
ワイヤレス通信のための装置であって、
少なくとも１つの受信アンテナを介して、別の装置から送信された信号を取得するように構成された受信インタフェースと、
前記少なくとも１つの受信アンテナで受信されるような前記信号の少なくとも１つのパラメータに基づいて、前記装置の前記別の装置と比べた向きを示す１つまたは複数の値を決定することと、
前記比べた向きを示す前記決定された１つまたは複数の値の正確性の度合いのインジケーションを備える少なくとも１つのフレームを生成することと、
をするように構成された処理システムと、
前記別の装置への送信のために前記少なくとも１つのフレームを出力するように構成された送信インタフェースと、
を備える、装置。
【請求項２】
前記少なくとも１つの受信アンテナは、複数の受信アンテナを備え、前記少なくとも１つのパラメータは、前記複数の受信アンテナで受信されるような前記信号の位相の差を備える、請求項１に記載の装置。
【請求項３】
前記向きを示す前記１つまたは複数の値は、前記装置の前記別の装置と比べた方位角、仰角、ロール、または距離のうちの少なくとも１つを備える、請求項１に記載の装置。
【請求項４】
前記比べた向きの正確性の前記度合いの前記インジケーションは、前記少なくとも１つのパラメータの値に基づいて決定された異なる値の数のインジケーションを介して提供される、請求項１に記載の装置。
【請求項５】
前記処理システムは、前記少なくとも１つのフレームにおいて前記異なる値のうちの少なくとも１つを提供するように構成される、請求項４に記載の装置。
【請求項６】
前記処理システムは、複数の追加のフレームを生成するように構成され、前記複数の追加のフレームの各々は、前記異なる値の１つを含む、請求項４に記載の装置。
【請求項７】
前記処理システムは、前記少なくとも１つのフレームに前記異なる値のうちの少なくとも２つを含むように構成される、請求項４に記載の装置。
【請求項８】
ワイヤレス通信のための装置であって、
別の装置への送信のために信号を出力するように構成された送信インタフェースと、
前記別の装置の前記装置と比べた向きを示す１つまたは複数の値を含む少なくとも１つのフレームを取得するように構成された受信機インタフェースと、
前記別の装置から受信されたインジケーションに基づいて、前記比べた向きを示す前記１つまたは複数の値の正確性の度合いを決定することと、
前記１つまたは複数の値のうちの少なくとも１つに基づいて、前記装置の前記別の装置と比べたロケーションを決定することと、
をするように構成された処理システムと、
を備える、装置。
【請求項９】
前記処理システムは、前記１つまたは複数の値における考えられるアンビギュイティを決定することによって、前記１つまたは複数の値の正確性の前記度合いを決定するように構成され、前記１つまたは複数の値は、前記信号が前記別の装置によって受信された方位角、仰角、ロール、または距離のうちの少なくとも１つを示す、請求項８に記載の装置。
【請求項１０】
前記処理システムは、前記アンビギュイティを解消するために１つまたは複数のアクションを講じるようにさらに構成され、前記アンビギュイティを解消するために講じられる前記１つまたは複数のアクションは、考慮事項から前記１つまたは複数の値のうちの１つまたは複数を除外することと、前記値のうちの残りの１つまたは複数に基づいて、前記装置の前記別の装置と比べた前記ロケーションを決定することと、を備える、請求項９に記載の装置。
【請求項１１】
前記別の装置によって提供される前記インジケーションは、前記別の装置で受信されるような前記信号のための少なくとも１つのパラメータに基づいて、前記向きに関して決定された異なる値の数のインジケーションを備える、請求項８に記載の装置。
【請求項１２】
前記少なくとも１つのパラメータは、前記別の装置の複数の受信アンテナで受信されるような前記信号の位相の差を備える、請求項１１に記載の装置。
【請求項１３】
前記少なくとも１つのフレームは、前記インジケーションを備える、請求項１１に記載の装置。
【請求項１４】
前記少なくとも１つのフレームは、各々が前記異なる値のうちの１つを含む、複数の異なるフレームを備える、請求項１１に記載の装置。
【請求項１５】
前記少なくとも１つのフレームは、前記異なる値のうちの少なくとも２つを含む単一のフレームを備える、請求項１１に記載の装置。
【請求項１６】
装置によるワイヤレス通信のための方法であって、
少なくとも１つの受信アンテナを介して、別の装置から送信された信号を取得することと、
前記少なくとも１つの受信アンテナで受信されるような前記信号の少なくとも１つのパラメータに基づいて、前記装置の前記別の装置と比べた向きを示す１つまたは複数の値を決定することと、
前記比べた向きを示す前記決定された１つまたは複数の値の正確性の度合いのインジケーションを備える少なくとも１つのフレームを生成することと、
前記別の装置への送信のために前記少なくとも１つのフレームを出力することと、
を備える、方法。
【請求項１７】
前記少なくとも１つの受信アンテナは、複数の受信アンテナを備え、前記少なくとも１つのパラメータは、前記複数の受信アンテナで受信されるような前記信号の位相の差を備える、請求項１６に記載の方法。
【請求項１８】
前記向きを示す前記１つまたは複数の値は、前記装置の前記別の装置と比べた方位角、仰角、ロール、または距離のうちの少なくとも１つを備える、請求項１６に記載の方法。
【請求項１９】
前記少なくとも１つのフレームを生成することは、前記少なくとも１つのパラメータの値に基づいて決定された異なる値の数のインジケーションを介して前記比べた向きの正確性の前記度合いの前記インジケーションを提供することを備える、請求項１６に記載の方法。
【請求項２０】
前記少なくとも１つのフレームを生成することは、前記少なくとも１つのフレームにおいて前記異なる値のうちの少なくとも１つを提供することを備える、請求項１９に記載の方法。
【請求項２１】
複数の追加のフレームを生成することをさらに備え、前記複数の追加のフレームの各々は、前記異なる値のうちの１つを含む、請求項１９に記載の方法。
【請求項２２】
前記少なくとも１つのフレームを生成することは、前記少なくとも１つのフレームに前記異なる値のうちの少なくとも２つを含むことを備える、請求項１９に記載の方法。
【請求項２３】
装置によるワイヤレス通信のための方法であって、
別の装置への送信のために信号を出力することと、
前記別の装置の前記装置と比べた向きを示す１つまたは複数の値を含む少なくとも１つのフレームを取得することと、
前記別の装置から受信されたインジケーションに基づいて、前記比べた向きを示す前記１つまたは複数の値の正確性の度合いを決定することと、
前記１つまたは複数の値のうちの少なくとも１つに基づいて、前記装置の前記別の装置と比べたロケーションを決定することと、
を備える、方法。
【請求項２４】
前記１つまたは複数の値の正確性の前記度合いを決定することは、前記１つまたは複数の値における考えられるアンビギュイティを決定することを備え、前記１つまたは複数の値は、前記信号が前記別の装置によって受信された方位角、仰角、ロール、または距離のうちの少なくとも１つを示す、請求項２３に記載の方法。
【請求項２５】
前記アンビギュイティを解消するために１つまたは複数のアクションを講じることをさらに備え、前記アンビギュイティを解消するために１つまたは複数のアクションを講じることは、
考慮事項から前記１つまたは複数の値のうちの１つまたは複数を除外することと、
前記値のうちの残りの１つまたは複数に基づいて、前記装置の前記別の装置と比べた前記ロケーションを決定することと、
をさらに備える、請求項２４に記載の方法。
【請求項２６】
前記別の装置によって提供される前記インジケーションは、前記別の装置で受信されるような前記信号のための少なくとも１つのパラメータに基づいて、前記向きに関して決定された異なる値の数のインジケーションを備える、請求項２３に記載の方法。
【請求項２７】
前記少なくとも１つのパラメータは、前記別の装置の複数の受信アンテナで受信されるような前記信号の位相の差を備える、請求項２６に記載の方法。
【請求項２８】
前記少なくとも１つのフレームは、前記インジケーションを備える、請求項２６に記載の方法。
【請求項２９】
前記少なくとも１つのフレームは、各々が前記異なる値のうちの１つを含む、複数の異なるフレームを備える、請求項２６に記載の方法。
【請求項３０】
前記少なくとも１つのフレームは、前記異なる値のうちの少なくとも２つを含む単一のフレームを備える、請求項２６に記載の方法。
【請求項３１】
ワイヤレス通信のための装置であって、
装置によって、少なくとも１つの受信アンテナを介して、別の装置から送信された信号を取得するための手段と、
前記少なくとも１つの受信アンテナで受信されるような前記信号の少なくとも１つのパラメータに基づいて、前記装置の前記別の装置と比べた向きを示す１つまたは複数の値を決定するための手段と、
前記比べた向きを示す前記決定された１つまたは複数の値の正確性の度合いのインジケーションを備える少なくとも１つのフレームを生成するための手段と、
前記別の装置への送信のために前記少なくとも１つのフレームを出力するための手段と、
を備える、装置。
【請求項３２】
前記少なくとも１つの受信アンテナは、複数の受信アンテナを備え、前記少なくとも１つのパラメータは、前記複数の受信アンテナで受信されるような前記信号の位相の差を備える、請求項３１に記載の装置。
【請求項３３】
前記向きを示す前記１つまたは複数の値は、前記装置の前記別の装置と比べた方位角、仰角、ロール、または距離のうちの少なくとも１つを備える、請求項３１に記載の装置。
【請求項３４】
前記少なくとも１つのフレームを生成するための前記手段は、前記少なくとも１つのパラメータの値に基づいて決定された異なる値の数のインジケーションを介して前記比べた向きの正確性の前記度合いの前記インジケーションを提供するための手段を備える、請求項３１に記載の装置。
【請求項３５】
前記少なくとも１つのフレームを生成するための前記手段は、前記少なくとも１つのフレームにおいて前記異なる値のうちの少なくとも１つを提供するための手段を備える、請求項３４に記載の装置。
【請求項３６】
複数の追加のフレームを生成するための手段をさらに備え、前記複数の追加のフレームの各々は、前記異なる値のうちの１つを含む、請求項３４に記載の装置。
【請求項３７】
前記少なくとも１つのフレームを生成するための前記手段は、前記少なくとも１つのフレームに前記異なる値のうちの少なくとも２つを含むための手段を備える、請求項３４に記載の装置。
【請求項３８】
ワイヤレス通信のための装置であって、
別の装置への送信のために信号を出力するための手段と、
前記別の装置の前記装置と比べた向きを示す１つまたは複数の値を含む少なくとも１つのフレームを取得するための手段と、
前記別の装置から受信されたインジケーションに基づいて、前記比べた向きを示す前記１つまたは複数の値の正確性の度合いを決定するための手段と、
前記１つまたは複数の値のうちの少なくとも１つに基づいて、前記装置の前記別の装置と比べたロケーションを決定するための手段と、
を備える、装置。
【請求項３９】
前記１つまたは複数の値の正確性の前記度合いを決定するための前記手段は、前記１つまたは複数の値における考えられるアンビギュイティを決定するための手段を備え、前記１つまたは複数の値は、前記信号が前記別の装置によって受信された方位角、仰角、ロール、または距離のうちの少なくとも１つを示す、請求項３８に記載の装置。
【請求項４０】
前記アンビギュイティを解消するために１つまたは複数のアクションを講じるための手段をさらに備え、１つまたは複数アクションを講じるための前記手段は、考慮事項から前記１つまたは複数の値のうちの１つまたは複数を除外するための手段、および前記値のうちの残りの１つまたは複数に基づいて、前記装置の前記別の装置と比べた前記ロケーションを決定するための手段を備える、請求項３９に記載の装置。
【請求項４１】
前記別の装置によって提供される前記インジケーションは、前記別の装置で受信されるような前記信号のための少なくとも１つのパラメータに基づいて、前記向きに関して決定された異なる値の数のインジケーションを備える、請求項３８に記載の装置。
【請求項４２】
前記少なくとも１つのパラメータは、前記別の装置の複数の受信アンテナで受信されるような前記信号の位相の差を備える、請求項４１に記載の装置。
【請求項４３】
前記少なくとも１つのフレームは、前記インジケーションを備える、請求項４１に記載の装置。
【請求項４４】
前記少なくとも１つのフレームは、各々が前記異なる値のうちの１つを含む、複数の異なるフレームを備える、請求項４１に記載の装置。
【請求項４５】
前記少なくとも１つのフレームは、前記異なる値のうちの少なくとも２つを含む単一のフレームを備える、請求項４１に記載の装置。
【請求項４６】
命令を記憶したコンピュータ可読媒体であって、前記命令は、
装置によって、少なくとも１つの受信アンテナを介して、別の装置から送信された信号を取得することと、
前記装置によって、前記少なくとも１つの受信アンテナで受信されるような前記信号の少なくとも１つのパラメータに基づいて、前記装置の前記別の装置と比べた向きを示す１つまたは複数の値を決定することと、
前記装置によって、前記比べた向きを示す前記決定された１つまたは複数の値の正確性の度合いのインジケーションを備える少なくとも１つのフレームを生成することと、
前記装置によって、前記別の装置への送信のために前記少なくとも１つのフレームを出力することと、
のためのものである、コンピュータ可読媒体。
【請求項４７】
命令を記憶したコンピュータ可読媒体であって、前記命令は、
装置によって、別の装置への送信のために信号を出力することと、
前記装置によって、前記別の装置の前記装置と比べた向きを示す１つまたは複数の値を含む少なくとも１つのフレームを取得することと、
前記装置によって、前記別の装置から受信されたインジケーションに基づいて、前記比べた向きを示す前記１つまたは複数の値の正確性の度合いを決定することと、
前記装置によって、前記１つまたは複数の値のうちの少なくとも１つに基づいて、前記装置の前記別の装置と比べたロケーションを決定することと、
のためのものである、コンピュータ可読媒体。
【請求項４８】
ワイヤレス局であって、
少なくとも１つのアンテナと、
前記少なくとも１つの受信アンテナを介して、別の局から送信された信号を取得するように構成された受信機と、
前記少なくとも１つの受信アンテナで受信されるような前記信号の少なくとも１つのパラメータに基づいて、前記局の前記別の局と比べた向きを示す１つまたは複数の値を決定することと、
前記比べた向きを示す前記決定された１つまたは複数の値の正確性の度合いのインジケーションを備える少なくとも１つのフレームを生成することと、
をするように構成された処理システムと、
前記別の局への送信のために前記少なくとも１つのフレームを出力するように構成された送信機と、
を備える、ワイヤレス局。
【請求項４９】
ワイヤレス局であって、
少なくとも１つのアンテナと、
前記少なくとも１つの受信アンテナを介して、別の局への送信のために信号を出力するように構成された送信機と、
前記別の局の前記局と比べた向きを示す１つまたは複数の値を含む少なくとも１つのフレームを取得するように構成された受信機と、
前記別の局から受信されたインジケーションに基づいて、前記比べた向きを示す前記１つまたは複数の値における考えられるアンビギュイティを決定することと、
前記１つまたは複数の値のうちの少なくとも１つに基づいて、前記局の前記別の局と比べたロケーションを決定することと、
をするように構成された処理システムと、
を備える、ワイヤレス局。
【発明の詳細な説明】
【関連出願への相互参照】
【０００１】
[0001]  本出願は、２０１５年１月１２日付で出願された米国仮出願番号第６２／１０２，５７７号、および２０１６年１月１１日付で出願された米国出願第１４／９９２，９２４号の利益を主張し、その両方が、本明細書により参照によって本明細書に明示的に組み込まれる。
【技術分野】
【０００２】
[0002]  本開示のある特定の態様は一般に、ワイヤレス通信に関し、より具体的には、ワイヤレス通信システムにおいてデバイスのロケーションを決定および報告することに関する。
【背景技術】
【０００３】
[0003]  ６０ＧＨｚ帯域は、大量の帯域幅および広範な（large）世界規模オーバーラップを特徴とする無認可帯域である。広範な帯域幅は、非常に大量の情報がワイヤレスに送信され得ることを意味する。結果として、各々が大量のデータの送信を要求する複数のアプリケーションが、６０ＧＨｚ帯域周辺のワイヤレス通信を可能にするために開発され得る。こうしたアプリケーションに関する例は、ゲームコントローラ、モバイル対話型デバイス、ワイヤレス高精細度ＴＶ（ＨＤＴＶ）、ワイヤレスドッキング局、ワイヤレスギガビットイーサネット（登録商標）、および多くの他のものを含むが、それらに限定されない。
【０００４】
[0004]  こうしたアプリケーションを推進するために、６０ＧＨｚ周波数範囲において動作するアクティブアンテナ、無線周波数（ＲＦ）アナログ回路、ミキサ、および増幅器のような集積回路（ＩＣ）を開発する必要がある。ＲＦシステムは通常、アクティブおよびパッシブモジュールを備える。アクティブモジュール（例えば、フェーズドアレイアンテナ）は、それらの動作のために制御および電力信号を要求し、これらはパッシブモジュール（例えば、フィルタ）によっては要求されない。様々なモジュールが、プリント回路基板（ＰＣＢ）上に組み立てられ得る無線周波数集積回路（ＲＦＩＣ）として製造（fabricated）およびパッケージ化される。ＲＦＩＣパッケージのサイズは、数平方ミリメートルから数百平方ミリメートルに及び得る。
【０００５】
[0005]  消費者電子機器市場では、電子デバイスの設計と、それにより、そこに統合されたＲＦモジュールの設計とは、最小のコスト、サイズ、電力消費、および重さの制約を満たすべきである。ＲＦモジュールの設計はまた、ミリメートル波信号の効率的な送信および受信を可能にするために、電子デバイス、ならびに特に、ラップトップおよびタブレットコンピュータのようなハンドヘルドデバイスの現在のアセンブル構成（current assembled configuration）も考慮に入れるべきである。さらにＲＦモジュールの設計は、受信および送信ＲＦ信号の最小の電力損失、および最大の無線カバレッジを考慮する（account for）べきである。
【０００６】
[0006]  ６０ＧＨｚ帯域における動作は、より低い周波数における動作と比較して、より小さいアンテナの使用を可能にする。しかしながら、より低い周波数において動作することと比較して、６０ＧＨｚ帯域周辺の電波は、高い大気減衰を有し、大気中のガス、雨、物体（objects）等によるより高いレベルの吸収の影響下にあり、結果としてより高い自由空間損失をもたらす。より高い自由空間損失は、例えば、フェーズドアレイで配列された多くの小さいアンテナを使用することによって補償され得る。
【０００７】
[0007]  デバイスは、６０ＧＨｚ帯域において動作するデバイスから受信された信号の方向を決定するために１つまたは複数のアンテナを利用し得る。しかしながら、信号の方向の決定は、受信された信号の決定された方向の正確性に影響し得る種々の大気現象の影響下にあり得る。
【発明の概要】
【０００８】
[0008]  本開示のシステム、方法、およびデバイスは各々、いくつかの態様を有し、これらのうちのいずれも、単独でその望ましい属性を担うものではない。以下に続く請求項によって表現されるような本開示の範囲を限定することなく、いくつかの特徴がこれから簡潔に論じられる。この考察（discussion）を考慮した後に、および特に「詳細な説明」と題されたセクションを読んだ後に、どのように本開示の特徴がワイヤレスネットワークにおける向上した通信を含む利点を提供するのかを、当業者は理解するであろう。
【０００９】
[0009]  本開示のある特定の態様は、ワイヤレス通信のための装置を提供する。装置は一般に、少なくとも１つの受信アンテナを介して、別の装置から送信された信号を取得するように構成された受信インタフェースを含む。装置はまた、少なくとも１つの受信アンテナで受信されるような信号の少なくとも１つのパラメータに基づいて、当該装置の当該別の装置と比べた向き（an orientation of the apparatus relative to the other apparatus）を示す１つまたは複数の値を決定することと、当該比べた向きを示す決定された１つまたは複数の値の正確性の度合いのインジケーション（indication）を備える少なくとも１つのフレームを生成することと、をするように構成された処理システムを含む。装置はさらに、当該別の装置への送信のために当該少なくとも１つのフレームを出力するように構成された送信インタフェースを含む。
【００１０】
[0010]  本開示のある特定の態様は、ワイヤレス通信のための装置を提供する。装置は一般に、別の装置への送信のために信号を出力するように構成された送信インタフェースを含む。装置はまた、当該別の装置の当該装置と比べた向きを示す１つまたは複数の値を含む少なくとも１つのフレームを取得するように構成された受信機インタフェースを含む。装置はさらに、当該別の装置から受信されたインジケーションに基づいて、当該比べた向きを示す１つまたは複数の値の正確性の度合いを決定することと、当該１つまたは複数の値のうちの少なくとも１つに基づいて、当該装置の当該別の装置と比べたロケーションを決定することと、をするように構成された処理システムを含む。
【００１１】
[0011]  本開示のある特定の態様は、ワイヤレス通信のための方法を提供する。方法は、装置によって行われ得る。方法は一般に、少なくとも１つの受信アンテナを介して、別の装置から送信された信号を取得することを含む。方法はまた、少なくとも１つの受信アンテナで受信されるような信号の少なくとも１つのパラメータに基づいて、当該装置の当該別の装置と比べた向きを示す１つまたは複数の値を決定することを含む。方法はさらに、当該比べた向きを示す決定された１つまたは複数の値の正確性の度合いのインジケーションを備える少なくとも１つのフレームを生成することを含む。方法はさらにまた、当該別の装置への送信のために当該少なくとも１つのフレームを出力することを含む。
【００１２】
[0012]  本開示のある特定の態様は、ワイヤレス通信のための方法を提供する。方法は、装置によって行われ得る。方法は一般に、別の装置への送信のために信号を出力することと、当該別の装置の当該装置と比べた向きを示す１つまたは複数の値を含む少なくとも１つのフレームを取得することと、を含む。方法はまた、当該別の装置から受信されたインジケーションに基づいて、当該比べた向きを示す１つまたは複数の値の正確性の度合いを決定することを含む。方法はさらに、当該１つまたは複数の値のうちの少なくとも１つに基づいて、当該装置の当該別の装置と比べたロケーションを決定することを含む。
【００１３】
[0013]  本開示のある特定の態様は、ワイヤレス通信のための装置を提供する。装置は一般に、少なくとも１つの受信アンテナを介して、別の装置から送信された信号を取得するための手段を含む。装置はまた、少なくとも１つの受信アンテナで受信されるような信号の少なくとも１つのパラメータに基づいて、当該装置の当該別の装置と比べた向きを示す１つまたは複数の値を決定するための手段を含む。装置はさらに、当該比べた向きを示す決定された１つまたは複数の値の正確性の度合いのインジケーションを備える少なくとも１つのフレームを生成するための手段を含む。装置はさらにまた、当該別の装置への送信のために当該少なくとも１つのフレームを出力するための手段を含む。
【００１４】
[0014]  本開示のある特定の態様は、ワイヤレス通信のための装置を提供する。装置は一般に、別の装置への送信のために信号を出力するための手段と、当該別の装置の当該装置と比べた向きを示す１つまたは複数の値を含む少なくとも１つのフレームを取得するための手段と、を含む。装置はまた、当該別の装置から受信されたインジケーションに基づいて、当該比べた向きを示す１つまたは複数の値の正確性の度合いを決定するための手段を含む。装置はさらに、当該１つまたは複数の値のうちの少なくとも１つに基づいて、当該装置の当該別の装置と比べたロケーションを決定するための手段を含む。
【００１５】
[0015]  本開示のある特定の態様は、コンピュータ可読媒体を提供する。コンピュータ可読媒体は一般に、装置によって、少なくとも２つの受信アンテナを介して、別の装置から送信された信号を取得するための命令を記憶している。コンピュータ可読媒体はまた、当該装置によって、少なくとも１つの受信アンテナで受信されるような信号の少なくとも１つのパラメータに基づいて、当該装置の当該別の装置と比べた向きを示す１つまたは複数の値を決定することと、当該装置によって、当該比べた向きを示す決定された１つまたは複数の値の正確性の度合いのインジケーションを備える少なくとも１つのフレームを生成することと、のための命令を記憶している。コンピュータ可読媒体はまた、当該装置によって、当該別の装置への送信のために当該少なくとも１つのフレームを出力するための命令を記憶している。
【００１６】
[0016]  本開示のある特定の態様は、コンピュータ可読媒体を提供する。コンピュータ可読媒体は一般に、装置によって、別の装置への送信のために信号を出力することと、当該装置によって、当該装置の当該別の装置と比べた向きを示す１つまたは複数の値を含む少なくとも１つのフレームを取得することと、のための命令を記憶している。コンピュータ可読媒体はまた、当該装置によって、当該別の装置から受信されたインジケーションに基づいて、当該比べた向きを示す１つまたは複数の値の正確性の度合いを決定することと、当該装置によって、当該１つまたは複数の値のうちの少なくとも１つに基づいて、当該装置の当該別の装置と比べたロケーションを決定することと、のための命令を記憶している。
【００１７】
[0017]  本開示のある特定の態様は、ワイヤレス局を提供する。局は一般に、少なくとも１つのアンテナと、当該少なくとも１つのアンテナを介して、別の局から送信された信号を取得するように構成された受信機と、を含む。局はまた、少なくとも１つのアンテナで受信されるような信号の少なくとも１つのパラメータに基づいて、当該局の当該別の局と比べた向きを示す１つまたは複数の値を決定することと、当該比べた向きを示す決定された１つまたは複数の値の正確性の度合いのインジケーションを備える少なくとも１つのフレームを生成することと、をするように構成された処理システムを含む。局はさらに、当該別の局への送信のために当該少なくとも１つのフレームを出力するように構成された送信機を含む。
【００１８】
[0018]  本開示のある特定の態様は、ワイヤレス局を提供する。局は一般に、少なくとも１つのアンテナと、当該少なくとも１つのアンテナを介して、別の局への送信のために信号を出力するように構成された送信機と、当該別の局の当該局と比べた向きを示す１つまたは複数の値を含む少なくとも１つのフレームを取得するように構成された受信機と、を含む。局はまた、当該別の局から受信されたインジケーションに基づいて、当該比べた向きを示す１つまたは複数の値の正確性の度合いを決定することと、当該１つまたは複数の値のうちの少なくとも１つに基づいて、当該局の当該別の局と比べたロケーションを決定することと、をするように構成された処理システムを含む。
【図面の簡単な説明】
【００１９】
【図１】本開示のある特定の態様に従う、実例的なワイヤレス通信ネットワークの図を例示する。
【図２】本開示のある特定の態様に従う、実例的なアクセスポイントおよびユーザ端末のブロック図を例示する。
【図３】本開示のある特定の態様に従う、実例的なワイヤレスデバイスのブロック図を例示する。
【図４】本開示のある特定の態様に従う、実例的なデュアル偏波パッチ素子（dual polarized patch element）を例示する。
【図５】本開示のある特定の態様に従う、フェーズドアレイアンテナの実施例における信号伝搬を例示する図である。
【図６】本開示のある特定の態様に従う、受信された信号の方向を示すある値に存在し得る、考えられるアンビギュイティの数（the number of possible ambiguities）の例を例示する。
【図７】本開示のある特定の態様に従う、図８および図１１で図示される動作を行う能力を有する実例的なワイヤレスデバイスを例示する。
【図８】本開示のある特定の態様に従う、ワイヤレス通信のための実例的な動作のフロー図である。
【図８Ａ】図８で図示される動作を行う能力を有する実例的なコンポーネントを例示する。
【図９】本開示のある特定の態様に従う、実例的なフレームフォーマットを例示する。
【図１０】本開示のある特定の態様に従う、図９で図示されるフレームフォーマットの実例的なフィールドを例示する。
【図１１】本開示のある特定の態様に従う、ワイヤレス通信のための実例的な動作のフロー図である。
【図１１Ａ】図１１で図示される動作を行う能力を有する実例的なコンポーネントを例示する。
【００２０】
[0032]  理解を容易にするために、同一の参照番号が、可能な場合、図に共通である同一の要素を指定するように使用されてきている。一実施形態において開示される要素は、具体的な記載なく他の実施形態に対して有益に利用され得ることが企図される。
【詳細な説明】
【００２１】
[0033]  本開示の態様は、通信システムにおけるワイヤレスデバイスの向上したロケーション報告のための技法および装置を提供する。以下でより詳細に説明されることになるように、本明細書で説明される技法は、ワイヤレスデバイスが、別のデバイスのロケーション測定の正確性の度合い（例えば、１つまたは複数のアンビギュイティ（one or more ambiguities））を、その別のデバイスから受信された信号に基づいて、決定することを可能にし得る。本明細書で説明される技法はまた、ワイヤレスデバイスが、ロケーション測定の正確性の度合いのインジケーションを含む報告を生成し、その報告をその別のデバイスに送信することを可能にし得る。本明細書で使用される場合、ワイヤレスデバイスのロケーションは、（そのワイヤレスデバイスから送信された）信号が（例えば、別のワイヤレスデバイスによって）受信された向き（例えば、方位角（azimuth）、仰角等のような方向、ロール、距離等）を指し得る。
【００２２】
[0034]  本開示の様々な態様が、添付の図面を参照して以下でより十分に説明される。しかしながら、本開示は、多くの異なる形態で具現化され得、本開示全体を通して提示されるあらゆる具体的な構造または機能に限定されるとして解釈されるべきではない。むしろこれらの態様は、本開示が徹底的かつ完全になり、当業者に本開示の範囲を十分に伝えることになるように提供される。本明細書における教示に基づいて、本開示のあらゆる他の態様からも独立して実施されようと、本開示のあらゆる他の態様と組み合わせて実施されようと、本開示の範囲が、本明細書で開示されるいずれの態様もカバーするように意図されることを、当業者は認識するべきである。例えば、本明細書で述べられる任意の数の態様を使用して、装置が実施され得る、または方法が実践され得る。加えて本開示の範囲は、本明細書で述べられる本開示の様々な態様の他に、または様々な態様に加えて、他の構造、機能、または構造および機能を使用して実施されるそうした装置または方法をカバーするように意図される。本明細書で開示される開示のいずれの態様も請求項のうちの１つまたは複数の要素によって具現化され得ることは理解されるべきである。
【００２３】
[0035]  特定の態様が本明細書で説明されるものの、これらの態様の多くのバリエーションおよび置換が、本開示の範囲内に入る。好まれる態様のいくつかの利益および利点が言及されるものの、本開示の範囲は、特定の利益、使用、または目的に限定されるように意図されない。むしろ本開示の態様は、種々のワイヤレス技術、システム構成、ネットワーク、および送信プロトコルに広く適用可能であるように意図され、それらのうちのいくつかは、好まれる態様の以下の説明において、および図において、例として例示される。詳細な説明および図面は、限定的ではなく、本開示を単に例示しており、本開示の範囲は、付随の請求項およびそれらの同等物によって定義される。
【００２４】
[0036]  本明細書で説明される技術は、直交多重化スキーム（orthogonal multiplexing scheme）に基づく通信システムを含む、様々なブロードバンドワイヤレス通信システムのために使用され得る。こうした通信システムの例は、空間分割多元接続（ＳＤＭＡ）、時分割多元接続（ＴＤＭＡ）、直交周波数分割多元接続（ＯＦＤＭＡ）システム、単一キャリア周波数分割多元接続（ＳＣ−ＦＤＭＡ）システム等を含む。ＳＤＭＡシステムは、複数のユーザ端末に属するデータを同時に送信するために、十分に異なる方向を利用し得る。ＴＤＭＡシステムは、複数のユーザ端末が、送信信号を異なる時間スロットに分割することによって同じ周波数チャネルを共有することを可能にし得、各時間スロットは異なるユーザ端末に割り当てられる。ＯＦＤＭＡシステムは、全システム帯域幅を複数の直交サブキャリアに区分化する変調技法である直交周波数分割多重化（ＯＦＤＭ）を利用する。これらのサブキャリアは、トーン、ビン等とも呼ばれ得る。ＯＦＤＭでは、各サブキャリアは、データで独立して変調され得る。ＳＣ−ＦＤＭＡシステムは、システム帯域幅にわたって分散されるサブキャリア上で送信するためにインターリーブされたＦＤＭＡ（ＩＦＤＭＡ）を、隣接するサブキャリアのブロック上で送信するために局所化された（localized）ＦＤＭＡ（ＬＦＤＭＡ）を、または、隣接するサブキャリアの複数のブロック上で送信するために強化された（enhanced）ＦＤＭＡ（ＥＦＤＭＡ）を利用し得る。一般に、変調シンボルは、ＯＦＤＭでは周波数ドメインにおいて、およびＳＣ−ＦＤＭＡでは時間ドメインにおいて送られる。
【００２５】
[0037]  本明細書における教示は、様々な有線またはワイヤレス装置（例えば、ノード）に組み込まれ得る（例えば、様々な有線またはワイヤレス装置内で実施され得る、または様々な有線またはワイヤレス装置によって行われうる）。いくつかの態様では、本明細書における教示に従って実施されるワイヤレスノードは、アクセスポイントまたはアクセス端末を備え得る。
【００２６】
[0038]  アクセスポイント（「ＡＰ」）は、ノードＢ、無線ネットワークコントローラ（「ＲＮＣ」）、進化型ノードＢ（「ｅＮＢ」）、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、ベーシックサービスセット（「ＢＳＳ」）、拡張サービスセット（「ＥＳＳ」）、無線基地局（「ＲＢＳ」）、または何か他の専門用語のものを備え得る、これらとして実施され得る、またはこれらとして既知であり得る。
【００２７】
[0039]  アクセス端末（「ＡＴ」）は、加入者局、加入者ユニット、モバイル局（ＭＳ）、リモート局、リモート端末、ユーザ端末（ＵＴ）、ユーザエージェント、ユーザデバイス、ユーザ機器（ＵＥ）、ユーザ局、または何か他の専門用語のものを備え得る、これらとして実施され得る、またはこれらとして既知であり得る。いくつかの実施例では、アクセス端末は、セルラ電話、コードレス電話、セッション開始プロトコル（「ＳＩＰ」）電話、ワイヤレスローカルループ（「ＷＬＬ」）局、パーソナルデジタルアシスタント（「ＰＤＡ」）、ワイヤレス接続能力を有するハンドヘルドデバイス、局（「ＳＴＡ」）、またはワイヤレスモデムに接続された何か他の適した処理デバイスを備え得る。従って、本明細書で教示される１つまたは複数の態様は、電話（例えば、セルラ電話またはスマートフォン）、コンピュータ（例えば、ラップトップ）、タブレット、ポータブル通信デバイス、ポータブルコンピューティングデバイス（例えば、パーソナルデータアシスタント）、エンターテイメントデバイス（例えば、音楽もしくはビデオデバイス、または衛星ラジオ）、全地球測位システム（ＧＰＳ）デバイス、あるいはワイヤレスまたは有線媒体を介して通信するように構成されるあらゆる他の適したデバイスに組み込まれ得る。いくつかの態様では、ノードはワイヤレスノードである。そのようなワイヤレスノードは、例えば、有線またはワイヤレス通信リンクを介した、ネットワーク（例えば、インターネットまたはセルラネットワークのような広域ネットワーク）のための接続、またはネットワークへの接続を提供し得る。
【００２８】
実例的なワイヤレス通信システム
[0040]  図１は、本開示の態様が行われ得るシステム１００を例示する。例えば、（共通して局またはＳＴＡとして称される）ユーザ端末（ＵＴ）１２０は、システム１００におけるＡＰ１１０および／または他のユーザ端末１２０のロケーションを報告するように構成され得る。同様に、ＡＰ１１０は、システム１００における１つまたは複数のユーザ端末１２０および／または他のＡＰのロケーションを報告するように構成され得る。
【００２９】
[0041]  いくつかの態様では、本明細書で説明される技法は、システム１００におけるＡＰ１１０および／またはユーザ端末１２０の向上したロケーション報告を可能にし得る。いくつかのケースでは、ＡＰ１１０は、１つまたは複数のユーザ端末１２０（例えば、ＵＴ１２０ａ、１２０ｂ等）および／または他のＡＰ（図示せず）のロケーション測定の正確性の度合いを、１つまたは複数のユーザ端末１２０および／または他のＡＰから受信された信号に基づいて決定でき得る。加えて、または代わりとして、いくつかのケースでは、ユーザ端末１２０の各々は、ＡＰ１１０および／または他のユーザ端末１２０のロケーション測定の正確性の度合いを、ＡＰ１１０および／またはユーザ端末１２０から受信された信号に基づいて決定でき得る。ユーザ端末１２０およびＡＰ１１０の各々はその後、ロケーション測定の正確性の度合いのインジケーションを持つ報告を生成し、（互いに）送信し得る。ロケーション測定の正確性の度合いは、ロケーション測定における１つまたは複数の考えられるアンビギュイティのインジケーションを含み得る。
【００３０】
[0042]  システム１００は、例えば、ＡＰおよびＵＴを持つ多元接続多入力多出力（ＭＩＭＯ）システム１００であり得る。簡潔さのために、１つのＡＰ１１０のみが図１で図示される。ＡＰは一般に、ユーザ端末と通信する固定局であり、基地局または何か他の専門用語のものとも称され得る。ユーザ端末は、固定または可動であり得、モバイル局、ワイヤレスデバイス、局（ＳＴＡ）、または何か他の専門用語のものとも称され得る。ＡＰ１１０は、ダウンリンクおよびアップリンク上であらゆる所与の瞬間に１つまたは複数のユーザ端末１２０と通信し得る。ダウンリンク（すなわち、順方向リンク）は、ＡＰからユーザ端末への通信リンクであり、アップリンク（すなわち、逆方向リンク）は、ユーザ端末からＡＰへの通信リンクである。ユーザ端末はまた、別のユーザ端末とピアツーピアでも通信し得る。システムコントローラ１３０は、アクセスポイントに結合し、アクセスポイントに調整および制御を提供する。
【００３１】
[0043]  以下の開示の複数の部分が、空間分割多元接続（ＳＤＭＡ）を介して通信する能力を有するユーザ端末１２０を説明することになるけれども、ある特定の態様では、ユーザ端末１２０はまた、ＳＤＭＡをサポートしないいくつかのユーザ端末も含み得る。従って、こうした態様では、ＡＰ１１０は、ＳＤＭＡユーザ端末と非ＳＤＭＡユーザ端末の両方と通信するように構成され得る。この手法は好都合に、より古いバージョンのユーザ端末（「レガシ」局）が企業で依然として展開されたままでいることを可能にし得、それらの有効寿命を延ばす一方で、より新しいＳＤＭＡユーザ端末が、適切であると判断された場合、導入されることを可能にする。
【００３２】
[0044]  システム１００は、ダウンリンクおよびアップリンク上でのデータ送信のために複数の送信アンテナおよび複数の受信アンテナを採用する。ＡＰ１１０は、Ｎａｐつのアンテナを装備しており、ダウンリンク送信のためには多入力（ＭＩ）、およびアップリンク送信のためには多出力（ＭＯ）を表す。Ｋつの選択されたユーザ端末１２０のセットは集合的に、ダウンリンク送信のためには多出力、およびアップリンク送信のためには多入力を表す。純粋なＳＤＭＡでは、Ｋつのユーザ端末に関するデータシンボルストリームが、何らかの手段によって、コード、周波数、または時間で多重化されない場合、Ｎａｐ≧Ｋ≧１を有することが望まれる。ＴＤＭＡ技法、ＣＤＭＡを用いる種々のコードチャネル、ＯＦＤＭを用いるサブバンドの互いに素なセット等を使用して、データシンボルストリームが多重化され得る場合、Ｋは、Ｎａｐよりも大きくあり得る。各選択されたユーザ端末は、ＡＰにユーザ固有のデータを送信する、および／またはＡＰからユーザ固有のデータを受信する。一般に、各選択されたユーザ端末は、１つまたは複数のアンテナ（すなわち、Ｎｕｔ≧１）を装備し得る。Ｋつの選択されたＵＴは、同一のまたは異なる数のアンテナを有し得る。
【００３３】
[0045]  ＳＤＭＡシステムは、時分割複信（ＴＤＤ）システムまたは周波数分割複信（ＦＤＤ）システムであり得る。ＴＤＤシステムでは、ダウンリンクおよびアップリンクは、同じ周波数帯域を共有する。ＦＤＤシステムでは、ダウンリンクおよびアップリンクは、異なる周波数帯域を使用する。ＭＩＭＯシステム１００はまた、送信のために、単一キャリアまたは複数キャリアも利用し得る。各ＵＴは、（例えば、コストを低く抑えるために）単一のアンテナを、または（例えば、追加のコストがサポートされ得る場合）複数のアンテナを、装備し得る。ユーザ端末１２０が、異なる時間スロットであって、各時間スロットは異なるユーザ端末１２０に割り当てられる、に送信／受信を分割することによって同じ周波数チャネルを共有する場合、システム１００は、ＴＤＭＡシステムでもあり得る。
【００３４】
[0046]  図２は、本開示の態様を実施するために使用され得る、図１で例示されたＡＰ１１０およびＵＴ１２０の実例的なコンポーネントを例示する。ＡＰ１１０およびＵＴ１２０の１つまたは複数のコンポーネントは、本開示の態様を実施するために使用され得る。例えば、アンテナ（複数を含む）２２４、ＴＸ／ＲＸ（複数を含む）２２２、プロセッサ２６０、２７０、２８８、および２９０、ならびに／またはコントローラ２８０は、本明細書で説明される、かつ図８および図１１を参照して例示される動作を行うために使用され得る。
【００３５】
[0047]  図２は、ＭＩＭＯシステム１００における実例的なＡＰ１１０、および２つのユーザ端末１２０ｍおよび１２０ｘのブロック図を例示する。ＡＰ１１０は、Ｎｔつのアンテナ２２４ａ〜２２４ａｐを装備している。ＵＴ１２０ｍは、Ｎｕｔ，ｍつのアンテナ２５２ｍａ〜２５２ｍｕを装備しており、ＵＴ１２０ｘは、Ｎｕｔ，ｘつのアンテナ２５２ｘａ〜２５２ｘｕを装備している。ＡＰ１１０は、ダウンリンクでは送信側エンティティ（transmitting entity）であり、アップリンクでは受信側エンティティ（receiving entity）である。各ユーザ端末１２０は、アップリンクでは送信側エンティティであり、ダウンリンクでは受信側エンティティである。本明細書で使用される場合、「送信エンティティ」は、ワイヤレスチャネルを介してデータを送信する能力を有する、独立して動作する装置またはデバイスであり、「受信側エンティティ」は、ワイヤレスチャネルを介してデータを受信する能力を有する、独立して動作する装置またはデバイスである。以下の説明では、下付き文字「ｄｎ」はダウンリンクを表示し、下付き文字「ｕｐ」はアップリンクを表示し、Ｎｕｐつのユーザ端末は、アップリンク上での同時送信のために選択され、Ｎｄｎつのユーザ端末は、ダウンリンク上での同時送信のために選択され、Ｎｕｐは、Ｎｄｎと等しい、または等しくないことがあり得、ＮｕｐおよびＮｄｎは、各スケジューリング間隔の間、静的な値であり得るか、または変化し得る。ビームステアリングまたは何か他の空間処理技法が、ＡＰおよびユーザ端末で使用され得る。
【００３６】
[0048]  アップリンク上では、アップリンク送信のために選択された各ユーザ端末１２０で、送信（ＴＸ）データプロセッサ２８８が、データソース２８６からトラフィックデータを、コントローラ２８０から制御データを受信する。ＴＸデータプロセッサ２８８は、そのユーザ端末のために選択されたレートに関連付けられたコーディングおよび変調スキームに基づいて、そのユーザ端末に関するトラフィックデータを処理（例えば、符号化、インターリーブ、および変調）し、データシンボルストリームを提供する。ＴＸ空間プロセッサ２９０は、そのデータシンボルストリームに対して空間処理を行い、Ｎｕｔ，ｍつのアンテナに対するＮｕｔ，ｍつの送信シンボルストリームを提供する。各送信機ユニット（ＴＭＴＲ）２５４は、アップリンク信号を生成するために、それぞれの送信シンボルストリームを受信および処理（例えば、アナログにコンバート、増幅、フィルタリング、および周波数アップコンバート）する。Ｎｕｔ，ｍつの送信機ユニット２５４は、Ｎｕｔ，ｍつのアンテナ２５２からＡＰへの送信のために、Ｎｕｔ，ｍつのアップリンク信号を提供する。
【００３７】
[0049]  Ｎｕｐつのユーザ端末が、アップリンク上での同時送信のためにスケジューリングされ得る。これらのＵＴの各々は、そのデータシンボルストリームに対して空間処理を行い、その送信シンボルストリームのセットを、アップリンク上でＡＰに送信する。
【００３８】
[0050]  ＡＰ１１０で、Ｎａｐつのアンテナ２２４ａ〜２２４ａｐが、アップリンク上で送信するＮｕｐつのＵＴの全てからアップリンク信号を受信する。各アンテナ２２４は、それぞれの受信機ユニット（ＲＣＶＲ）２２２に受信された信号を提供する。各受信機ユニット２２２は、送信機ユニット２５４によって行われるものと相補的な処理を行い、受信されたシンボルストリームを提供する。ＲＸ空間プロセッサ２４０は、Ｎａｐつの受信機ユニット２２２からのＮａｐつの受信されたシンボルストリームに対して受信機空間処理を行い、Ｎｕｐつの復元されたアップリンクデータシンボルストリームを提供する。受信機空間処理は、チャネル相関マトリクス反転（ＣＣＭＩ）、最小平均二乗誤差（ＭＭＳＥ）、ソフト干渉除去（ＳＩＣ）、または何か他の技法に従って行われる。各復元されたアップリンクデータシンボルストリームは、それぞれのユーザ端末によって送信されたデータシンボルストリームの推定値（an estimate of a data symbol stream）である。ＲＸデータプロセッサ２４２は、復号されたデータを取得するために、各復元されたアップリンクデータシンボルストリームを、そのストリームのために使用されるレートに従って、処理（例えば、復調、デインターリーブ、および復号）する。各ユーザ端末に関する復号されたデータは、記憶のためにデータシンク２４４に、および／またはさらなる処理のためにコントローラ２３０に、提供され得る。
【００３９】
[0051]  ダウンリンク上では、ＡＰ１１０で、ＴＸデータプロセッサ２１０が、ダウンリンク送信のためにスケジューリングされたＮｄｎつのユーザ端末のためにデータソース２０８からトラフィックデータを、コントローラ２３０から制御データを、および場合によってはスケジューラ２３４から他のデータを、受信する。様々なタイプのデータが、種々のトランスポートチャネル上で送られ得る。ＴＸデータプロセッサ２１０は、各ユーザ端末のためのトラフィックデータを、そのユーザ端末のために選択されたレートに基づいて、処理（例えば、符号化、インターリーブ、および変調）する。ＴＸデータプロセッサ２１０は、Ｎｄｎつのユーザ端末のためのＮｄｎつのダウンリンクデータシンボルストリームを提供する。ＴＸ空間プロセッサ２２０は、Ｎｄｎつのダウンリンクデータシンボルストリームに対して（本開示で説明されるような、プリコーディングまたはビームフォーミングのような）空間処理を行い、Ｎａｐつのアンテナに対するＮａｐつの送信シンボルストリームを提供する。各送信機ユニット２２２は、ダウンリンク信号を生成するために、それぞれの送信シンボルストリームを受信および処理する。Ｎａｐつの送信機ユニット２２２は、Ｎａｐつのアンテナ２２４からユーザ端末への送信のために、Ｎａｐつのダウンリンク信号を提供する。各ユーザ端末のための復号されたデータは、記憶のためにデータシンク２７２に、および／またはさらなる処理のためにコントローラ２８０に提供され得る。
【００４０】
[0052]  各ユーザ端末１２０で、Ｎｕｔ，ｍつのアンテナ２５２が、ＡＰ１１０からＮａｐつのダウンリンク信号を受信する。各受信機ユニット２５４は、関連付けられたアンテナ２５２からの受信された信号を処理し、受信されたシンボルストリームを提供する。ＲＸ空間プロセッサ２６０が、Ｎｕｔ，ｍつの受信機ユニット２５４からのＮｕｔ，ｍつの受信されたシンボルストリームに対して受信機空間処理を行い、ユーザ端末のための復元されたダウンリンクデータシンボルストリームを提供する。受信機空間処理は、ＣＣＭＩ、ＭＭＳＥ、または何か他の技法に従って行われる。ＲＸデータプロセッサ２７０は、ユーザ端末ための復号されたデータを取得するために、復元されたダウンリンクデータシンボルストリームを処理（例えば、復調、デインターリーブ、および復号）する。
【００４１】
[0053]  各ユーザ端末１２０で、チャネル推定器２７８は、ダウンリンクチャネル応答を推定し、チャネル利得推定値、ＳＮＲ推定値、雑音分散等を含み得る、ダウンリンクチャネル推定値を提供する。同様に、チャネル推定器２２８が、アップリンクチャネル応答を推定し、アップリンクチャネル推定値を提供する。各ユーザ端末のためのコントローラ２８０は通常、ユーザ端末のための空間フィルタマトリクスを、そのユーザ端末のためのダウンリンクチャネル応答マトリクスＨｄｎ，ｍに基づいて導出する。コントローラ２３０は、アクセスポイントのための空間フィルタマトリクスを、実効（effective）アップリンクチャネル応答マトリクスＨｕｐ，ｅｆｆに基づいて導出する。各ユーザ端末のためのコントローラ２８０は、アクセスポイントにフィードバック情報（例えば、ダウンリンクおよび／またはアップリンク固有ベクトル、固有値、ＳＮＲ推定値等）を送り得る。コントローラ２３０および２８０はまた、それぞれアクセスポイント１１０およびユーザ端末１２０において、様々な処理ユニットの動作を制御する。
【００４２】
[0054]  図３は、ＭＩＭＯシステム１００内で採用され得る、かつ本開示の態様が実施され得るワイヤレスデバイス３０２において利用され得る、様々なコンポーネントを例示する。ワイヤレスデバイス３０２は、本明細書で説明される様々な方法を実施するように構成され得るデバイスの例である。例えば、ワイヤレスデバイス３０２は、それぞれ図８および図１１で例示される動作８００および１１００を実施し得る。ワイヤレスデバイス３０２は、ＡＰ１１０またはＵＴ１２０であり得る。
【００４３】
[0055]  ワイヤレスデバイス３０２は、ワイヤレスデバイス３０２の動作を制御するプロセッサ３０４を含み得る。プロセッサ３０４は、中央処理ユニット（ＣＰＵ）とも称され得る。読取専用メモリ（ＲＯＭ）とランダムアクセスメモリ（ＲＡＭ）との両方を含み得るメモリ３０６は、プロセッサ３０４に命令およびデータを提供する。メモリ３０６の一部分はまた、不揮発性ランダムアクセスメモリ（ＮＶＲＡＭ）も含み得る。プロセッサ３０４は通常、メモリ３０６内に記憶されたプログラム命令に基づいて、論理および算術演算を行う。メモリ３０６における命令は、本明細書で説明される方法を実施するように実行可能であり得る。
【００４４】
[0056]  ワイヤレスデバイス３０２はまた、ワイヤレスデバイス３０２と遠隔ロケーションとの間のデータの送信および受信を可能にするために送信機３１０および受信機３１２を含み得るハウジング３０８を含み得る。送信機３１０および受信機３１２は、組み合わされてトランシーバ３１４になり得る。単一のまたは複数の送信アンテナ３１６は、ハウジング３０８に取り付けられ、トランシーバ３１４に電気的に結合され得る。ワイヤレスデバイス３０２はまた、複数の送信機、複数の受信機、および複数のトランシーバを含み得る（図示せず）。
【００４５】
[0057]  ワイヤレスデバイス３０２はまた、トランシーバ３１４によって受信された信号のレベルを検出および定量化しようとして使用され得る信号検出器３１８も含み得る。信号検出器３１８は、総エネルギー、シンボルあたりのサブキャリア毎のエネルギー、電力スペクトル密度、および他の信号のような信号を検出し得る。ワイヤレスデバイス３０２はまた、信号を処理する際に使用するデジタルシグナルプロセッサ（ＤＳＰ）３２０も含み得る。
【００４６】
[0058]  ワイヤレスデバイス３０２の様々なコンポーネントは、データバスに加えて、電力バス、制御信号バス、およびステータス信号バスを含み得るバスシステム３２２によって互いに結合され得る。
【００４７】
[0059]  上で言及されたように、システム１００では、デバイス（複数を含む）が、別のデバイス（複数を含む）のロケーションを、その別のデバイス（複数を含む）から受信された信号に基づいて決定し得る。図１における例を参照すると、送信側デバイス（例えば、ＡＰ１１０、ＳＴＡ等）は、受信側（例えば、別のＡＰ、ＳＴＡ等）に信号を送信し得る。受信側デバイスは、（送信側デバイスから送信された）信号が受信された比べた向き（例えば、方向、ロール、距離等）を示す１つまたは複数の値を決定し得る。
【００４８】
[0060]  いくつかのケースでは、（送信側デバイスによって送信された）信号（複数を含む）は、例えば、ＩＥＥＥ８０２．１１ａｄ規格に従って、ビームフォーミング（ＢＦ）トレーニングプロセスの一部として送信され得る。ＢＦプロセスは通常、一対のミリ波局（millimeter-wave stations）、例えば、受信機および送信機、によって採用され得る。局の各ペアリングは、それらのネットワークデバイス間の後続の通信のための必要なリンクバジェットを獲得する。このように、ＢＦトレーニングプロセスは、ＢＦトレーニングフレーム送信の双方向シーケンスを含む。ＢＦトレーニングプロセストは、セクタスイープ（sector sweep）を使用し、各局が送信と受信との両方のための適切なアンテナシステム設定を決定することを可能にするために必要な信号を提供する。ＢＦトレーニングの成功裏の完了後、ミリ波通信リンクが確立される。
【００４９】
[0061]  ＢＦプロセスは、ミリ波スペクトルにおける通信に関する問題のうちの１つ（例えば、高いパス損失）を解決する。このように、図２で図示されるように、多数のアンテナが、通信範囲を拡張するためにビームフォーミング利得を活用するように、各トランシーバに配置され得る。すなわち、同じ信号が、わずかに異なる時間においてであるが、アレイにおける各アンテナから送られる。
【００５０】
[0062]  例となる実施形態に従うと、ＢＦプロセスは、セクタレベルスイープ（ＳＬＳ）フェーズ（sector level sweep (SLS) phase）およびビーム微調整ステージ（beam refinement stage）を含む。ＳＬＳフェーズでは、ＳＴＡのうちの１つが、イニシエータセクタスイープを行うことによってイニシエータとして働き、これに応答側局（responding station）による送信セクタスイープが続く（ここで、応答側局は、レスポンダセクタスイープ（responder sector sweep）を行う）。セクタは、セクタＩＤに対応する送信アンテナパターンまたは受信アンテナパターンのいずれかである。上で言及されたように、局は、アンテナアレイ（例えば、フェーズドアンテナアレイ）における１つまたは複数のアクティブアンテナを含むトランシーバであり得る。
【００５１】
[0063]  ＳＬＳフェーズは通常、開始局がセクタスイープフィードバックを受信し、セクタ肯定応答（ＡＣＫ）を送った後に終了し、その結果（thereby）ＢＦを確立する。イニシエータ局および応答側局の各トランシーバは、異なるセクタを介したセクタスイープ（ＳＳＷ）フレームの受信機セクタスイープ（ＲＸＳＳ）受信を行うように構成され、ここにおいて、１スイープが連続する受信の相互間で（a sweep is performed between consecutive receptions）行われる。加えて、イニシエータ局および応答側局の各トランシーバは、異なるセクタを介した指向性マルチギガビット（ＤＭＧ）ビーコンフレームまたは複数のセクタスイープ（ＳＳＷ）の送信（ＴＸＳＳ）を行うように構成され、ここにおいて、１スイープが連続する受信の相互間で行われる。
【００５２】
[0064]  ビーム微調整フェーズ中、各局は、ショートビームフォーミングフレーム間空間（ＳＢＩＦＳ：short beamforming interframe space）間隔分、隔てられている送信のシーケンスをスイープし得、ここにおいて、送信機または受信機におけるアンテナ構成は、送信の相互間で変化させられ得る。言い換えると、ビーム微調整は、局が、送信および受信の両方のために、そのアンテナ構成（またはアンテナ重みベクトル）を向上させ得るプロセスである。すなわち、各アンテナは、アンテナ重みベクトル（ＡＷＶ）を含み、それはさらに、アンテナアレイの各素子に関する励振（excitation）（振幅および位相）を記述する重みのベクトルを含む。
【００５３】
[0065]  図４は、本開示のある特定の態様に従う、採用され得る実例的なデュアル偏波パッチ素子４００を例示する。例えば、パッチ素子４００は、ＡＰ１１０、ＳＴＡ，図７で図示されるワイヤレスデバイス７０２等に含まれ得る。図４で図示されるように、アンテナアレイの単一の素子が、複数の偏波アンテナを含み得る。複数の素子は、アンテナアレイを形成するために互いに組み合され得る。偏波アンテナは、放射状に間隔を置かれ得る。例えば、図４で図示されるように、水平偏波アンテナ４１０および垂直偏波アンテナ４２０に対応する、２つの偏波アンテナ（すなわち、デュアル偏波アンテナ）が、直角に（perpendicularly）配列され得る。代わりとして、または加えて、あらゆる数の偏波アンテナが使用され得る。さらに、素子の１つまたは両方のアンテナがまた、円偏波され得る。
【００５４】
[0066]  図５は、本開示のある特定の態様に従う、フェーズドアレイアンテナの実施例における信号伝搬５００を例示する図である。フェーズドアレイアンテナは、同一の素子５１０−１〜５１０−４（以下、個別で素子５１０と、または集合的に複数の素子５１０と称される）を使用する。信号が伝搬される方向は、各素子５１０に対してほぼ同一の利得を生み出す一方で、複数の素子５１０の位相は異なる。複数の素子によって受信された信号は、組み合わされて所望の方向における正確な利得を持つコヒーレントビームになる。アンテナ設計の追加の考慮事項は、電界の予期される方向である。送信機および／または受信機が互いに（with respect to each other）ローテートされるケースでは、方向の変化に加えて、電界もまたローテートされる。これは、フェーズドアレイが、ある特定の極性にマッチングする、かつ極性変化のイベントにおいて他の極性または組み合わされた極性に適合する能力を有するアンテナまたはアンテナ給電（antenna feeds）を使用することによって、電界のローテーションを取り扱いできる（able to handle）ことを要求する。
【００５５】
[0067]  信号極性についての情報は、信号の送信機の態様を決定するために使用され得る。信号の電力は、異なる方向に偏波される異なるアンテナによって測定され得る。アンテナは、アンテナが直交方向に偏波されるように配列され得る。例えば、第１のアンテナが水平偏波され、第２のものが垂直偏波されるように、第１のアンテナは、第２のアンテナに対して直角に配列され得、ここで、第１のアンテナは水平軸を表し、第２のアンテナは垂直軸を表す。追加のアンテナもまた、互いに対して様々な角度で間隔を置かれて、含まれ得る。一度受信機が送信の極性を決定すると、受信機は、受信された信号にアンテナをマッチングすることによる受信を使用することによって、性能を最適化し得る。
【００５６】
実例的な向上したロケーション報告
[0068]  ＩＥＥＥ８０２．１１ａｄおよび／またはＩＥＥＥ８０２．１１ｍｃのようなある特定のシステムでは、１つまたは複数のデバイスが、システムにおいて送信および受信された信号に基づいて、そのシステムにおける１つまたは複数の他のデバイスのロケーションを決定（推定）でき得る。例えば、いくつかのケースでは、送信側デバイスから送信された信号を受信した後、受信側デバイスは、受信された信号に基づいて送信側デバイスのロケーションを決定し、送信側デバイスに、送信側デバイスのロケーションのインジケーションを持つ報告を送信でき得る。このケースでは、送信側デバイスのロケーションは、受信側デバイスが送信側デバイスから送信された信号を受信する、比べたロケーション（例えば、方向、ロール、距離等）を指し得る。
【００５７】
[0069]  以下の説明のほとんどが、２つのデバイス間の比べた向きを示す指向性パラメータの例として方位角および仰角を使用するけれども、（例えば、ロール、距離、偏波角等のような）向きを示すいずれの他のタイプのパラメータもまた使用され得ることに留意されたい。さらに、一般に、向きまたは方向を示すそのようなパラメータは、２つ以上の軸と比べて報告され得、さらに、極軸のような他のタイプの座標系（例えば、ｘ、ｙ、およびｚ座標以外）においても報告され得る。
【００５８】
[0070]  ワイヤレス通信システムにおけるあらゆる特定のデバイスの方向が、方位角、仰角、偏波角等のような１つまたは複数の値によって示され得る。いくつかのケースでは、１つまたは複数の値の各々に関する測定誤差もまた示され得る。例えば、一度受信側デバイスが送信側デバイスから信号を受信すると、受信側デバイスは、受信された信号に基づいて、方位角、仰角、偏波角、ロール、方向のような１つまたは複数の値を、方位角、仰角、偏波角、ロール、方向等の各々に関する測定誤差とともに、決定（または測定）し得る。受信側デバイスは、決定された１つまたは複数の値および１つまたは複数の値に関する決定された測定誤差を含む報告を生成し得る。受信側デバイスは、その報告を送信側デバイスに送信し得る。１つまたは複数の値の各々に関する測定誤差は、測定された１つまたは複数の値周辺の幾らかの範囲を持つ付加ランダムノイズ（additive random noise）としてモデル化され得る。例えば、あるケースでは、誤差は、幾らかの標準の偏差測定誤差を持つ通常のランダムノイズであり得る。
【００５９】
[0071]  一度送信側デバイスが報告を受信すると、送信側デバイスは、受信側デバイスと比べたその（送信側デバイスの）ロケーション（location relative to the receiving device）を決定でき得る。「送信側デバイス」および「受信側デバイス」は、利便性のために本明細書で使用されており、ワイヤレスデバイスの能力に関して限定的であるようには意図されない。言い換えると、「送信側デバイス」は、受信するようにも構成され得、その逆も同様である。従って、本明細書で使用される場合、「受信側デバイス」は、図１−３、７等を参照して上で説明されたＡＰ１１０、またはＵＴ１２０のいずれかのような、あらゆるタイプの局を指し得る。同様に、「送信側デバイス」もまた、図１−３、７等を参照して上で説明されたあらゆるタイプの局を指し得る。
【００６０】
[0072]  上で言及されたように、ワイヤレス通信システム（例えば、図１のＭＩＭＯシステム１００）におけるデバイスは、１つまたは複数の受信および／または送信アンテナを含み得る。加えて、ワイヤレス通信システムにおけるデバイスのアンテナの各々は、複数の異なるタイプのアンテナのうちの１つであり得る、および／または数多くの異なるアンテナ構成で配列され得る。例えば、異なるアンテナタイプは、パッチ素子（例えば、図４で図示される）、フェーズドアレイアンテナ（例えば、図５で図示される）、ダイポールアンテナ、指向性アンテナ、全方向性アンテナ等を含み得るが、それらに限定されない。
【００６１】
[0073]  しかしながらそうしたケースでは、（例えば、あるデバイスによって送信された）ロケーション報告は、別のデバイスから受信された信号の方向（例えば、ロケーション）を正確に示すことができないことがある。例えば、送信側デバイスは、１つまたは複数のアンテナアレイを含み得、その１つまたは複数のアンテナアレイを介して、受信側デバイスに信号を送信し得る。しかしながら、（例えば、より短い波長のための）いくつかのケースでは、受信側デバイスは、受信された信号の方向を示す（例えば、方位角、仰角等のような）値のうちの１つまたは複数における１つまたは複数のアンビギュイティを決定し得る。例えば、より短い波長では、送信機の１つまたは複数のアンテナアレイのパターン内の著しいグレーティングローブは、ビームを意図しない方向に放射させ得る。グレーティングローブ（またはグレーティングビーム）は一般に、意図したメインビームと同一であるが、望まれないロケーションにある（in an undesired location）放射されたビームを指す。従って、受信側デバイスが１つまたは複数のグレーティングローブによって影響される信号を受信するとき、受信側デバイスは、信号が受信される複数の異なる方向が存在するので、信号の方向を正確に決定できないことがある。
【００６２】
[0074]  図６は、受信された信号の方向を示すある値（例えば、方位角）に存在し得る考えられるアンビギュイティの数の例を例示する。特に、図６では、受信側デバイスの２つの受信アンテナで受信されるような信号間の位相差の関数としての送信側のデバイスの方位角が図示される。受信側デバイスの２つの受信アンテナは、上で説明されたアンテナのタイプのいずれでもあり得、（図２−３、７等で例示されるワイヤレスデバイスのいずれかのような）ワイヤレス通信システムにおいて通信する能力を有するいずれのデバイスにも含まれ得る。
【００６３】
[0075]  図６で図示されるように、一例では、（例えば、ワイヤレスデバイスの）２つの受信アンテナがｄ＝０．５λの距離分、隔てられているとき、受信側デバイスは、それが（異なるアンテナで受信されるような信号間の）所与の位相差に関して、送信機の方位角において２つの異なる値を決定するため、アンビギュイティを経験し得る。これもまた図６で例示されるように、２つの受信アンテナがｄ＝２λの距離分、隔てられているとき、受信側デバイスは、所与の位相差に関して、８つの異なる値を決定し得る。
【００６４】
[0076]  従って、アンビギュイティがある場合の向上したロケーション報告を可能にするための技法および装置が望ましくあり得る。本明細書で説明される技法は、図２−３、７等で図示されるワイヤレスデバイスのいずれかのような、あらゆるタイプのワイヤレスデバイスに適用され得、それは、ラップトップコンピュータ、スマートフォン、または同様のものであり得る。いくつかのケースでは、受信側デバイスは、送信側デバイスに送信された方向報告における考えられるアンビギュイティを示し得、送信側デバイスは、そうしたアンビギュイティを解消するための１つまたは複数のアクションを講じ得る。例えば、方向に関する複数の報告される値を持つ報告を受信する際、送信側デバイスは、アンビギュイティが示されるときに方向に関する複数の報告される値のどの値（複数を含む）が使用されるべきかを決定し得る。いくつかのケースでは、例えば、送信側デバイスは、ある特定の値を、（以前に報告された方向またはいくつかの他の基準ポイントに基づいて）対応する方向の変化が予期される量を超えるか、または起こりそうもない突然の方向の変化に対応し得る場合、除外し得る。いくつかのケースでは、（例えば、デバイスが実際に移動させられる、および／またはビーム方向が変化させられる間に）図６で図示されるもののようなグラフが、較正プロシージャに基づいて生成され得るであろう。ルックアップテーブルが、その値に基づいて生成され得、対応する値が所与の（測定された）位相差に関して検索されることを可能にする。
【００６５】
[0077]  図８は、本開示のある特定の態様に従う、ワイヤレス通信のための実例的な動作８００を例示する。動作８００は、ワイヤレスデバイス（例えば、ＡＰ１１０、ＵＴ／ＳＴＡ１２０等）によって、別のデバイスのロケーション測定における１つまたは複数のアンビギュイティを、その別のデバイスから受信された信号に基づいて決定し、その別のデバイスに、ロケーション測定における１つまたは複数のアンビギュイティのインジケーションを持つ報告を送信するために行われ得る。
【００６６】
[0078]  動作８００は、８０２で、少なくとも１つの受信アンテナを介して、別の装置から送信された信号を取得することによって始まる。８０４で、ワイヤレスデバイスは、少なくとも１つの受信アンテナで受信されるような信号の少なくとも１つのパラメータに基づいて、その装置のその別の装置と比べた向き（orientation of the apparatus relative to the other apparatus）を示す１つまたは複数の値を決定する。８０６で、ワイヤレスデバイスは、その比べた向きを示す決定された１つまたは複数の値の正確性の度合い（例えば、１つまたは複数のアンビギュイティ）のインジケーションを備える少なくとも１つのフレームを生成する。８０８で、ワイヤレスデバイスは、その別の装置への送信のために第１のフレームを出力する。
【００６７】
[0079]  ある特定の態様に従うと、ワイヤレスデバイスは、少なくとも２つの受信アンテナを含み得る。そうしたケースでは、少なくとも１つのパラメータは、ワイヤレスデバイスの少なくとも２つの受信アンテナで受信されるような信号の位相の差を含む。ある特定の態様に従うと、信号が受信された方向を示す１つまたは複数の値は、少なくとも２つの受信アンテナで受信されるような信号間の位相差に基づき得る。例えば、ワイヤレスデバイス（例えば、ＡＰ１１０、ＵＴ１２０、またはワイヤレスデバイス７０２）は、ワイヤレスデバイスの少なくとも２つの受信アンテナで受信されるような信号間の位相差に基づいて、その別の装置と比べた（図６を参照して説明されたような）方位角または仰角のうちの少なくとも１つを（１つまたは複数のプロセッサを介して）決定し得る。
【００６８】
[0080]  図９は、信号が別のワイヤレスデバイスから受信される方向を示す決定された１つまたは複数の値（例えば、方位角、仰角、ロール等）における考えられるアンビギュイティを示すためにワイヤレスデバイスが使用し得る実例的なフレーム９００を例示する。フレーム９００は、少なくともアライメントフィールド９０２、見通し内伝播（ＰＬＯＳ：propagation line of sight）フィールド９０４、方位角（ＡＺ）フィールド９０８、最小平均二乗誤差（ＭＭＳＥ）ＡＺフィールド９１０、仰角（ＥＬ）フィールド９１２、ＭＭＳＥ  ＥＬフィールド９１４、ロールフィールド９１６、ＭＭＳＥロールフィールド９１８を含み得る。ある特定の態様に従うと、フレーム９００はまた、信号が受信された方向を示す決定された１つまたは複数の値における考えられるアンビギュイティを示すためにワイヤレスデバイスが使用し得るアンビギュイティフィールド９０６のような追加のフィールドを含み得る。フレーム９００の種々のフィールドのコンテンツが、図１０において例示される。
【００６９】
[0081]  ある態様では、決定された方向における考えられるアンビギュイティのインジケーションは、少なくとも１つのパラメータの同じ値に基づいて、方向に関して決定された異なる値の数のインジケーションを介して提供され得る。例えば、図６および図９を参照すると、アンビギュイティフィールドは、少なくとも２つの受信アンテナで受信されるような信号間の位相差のある値（例えば、１５０度）に基づいて、受信された信号の方向に関して決定された異なる方位角値の数（例えば、８）を示すために使用され得る。
【００７０】
[0082]  ある態様では、ワイヤレスデバイスはまた、生成される、かつその別のワイヤレスデバイスに送信されるフレームにおいて、方向に関する１つまたは複数の値のうちの少なくとも１つを提供し得る。例えば、ワイヤレスデバイスは、（例えば、フレーム９００内で）、アライメント、方位角、仰角、ロール、距離等のような方向に関する１つまたは複数の値を、フレーム９００内の１つまたは複数の値の各々に関する誤差の推定値とともに、示し得る。ある態様では、ワイヤレスデバイスは、単一のフレーム９００内で方向に関するあらゆる数の値を示すことを選び得る。例えば、あるケースでは、ワイヤレスデバイスは、方向に関する唯一の値（例えば、方位角）を示し得る。別のケースでは、ワイヤレスデバイスは、方向に関する、２つの値（例えば、方位角、仰角等）、３つの値等を示し得る。
【００７１】
[0083]  ある態様に従うと、決定された１つまたは複数の値における考えられるアンビギュイティに起因した追加の方向の数を（例えば、アンビギュイティフィールド９０６において）示すことに加えて、ワイヤレスデバイスは、各々が１つまたは複数の値のうちの異なる１つを含む複数のフレームを生成し得る。例えば、図６および図９を参照すると、アンビギュイティフィールドにおいて異なる方位角値の数（例えば、８）を示した後、ワイヤレスデバイスは、複数のフレーム９００（例えば、８つのフレーム）を生成し得、各々のフレームは、異なる決定された方位角値を含む。さらに、図示されていないものの、ワイヤレスデバイスは、複数のフレームの各々の内で、仰角、ロール等のような１つまたは複数の値のどれも示すことを選び得る。
【００７２】
[0084]  図１１は、本開示のある特定の態様に従う、ワイヤレス通信のための実例的な動作１１００のフロー図である。動作１１００は、ワイヤレスデバイス（例えば、ＡＰ１１０、ＵＴ／ＳＴＡ１２０等）によって、別のデバイスによって提供されたインジケーションに基づいて、その別のデバイスによって受信された（ワイヤレスデバイスによって送信された）信号の方向を示す１つまたは複数の値における１つまたは複数の考えられるアンビギュイティを決定するために、行われ得る。動作１１００は、受信側ワイヤレスデバイスによって行われる動作８００に類似しているが、送信側ワイヤレスデバイスの視点からのものである。
【００７３】
[0085]  動作１１００は、１１０２で、別の装置への送信のために信号を出力することによって始まる。１１０４で、ワイヤレスデバイスは、その別の装置のそのワイヤレスデバイスと比べた向き（orientation of the other apparatus relative to the wireless device）を示す１つまたは複数の値を含む少なくとも１つのフレームを取得する。１１０６で、ワイヤレスデバイスは、その別の装置から受信されたインジケーションに基づいて、その比べた向きを示す１つまたは複数の値の正確性の度合いを決定する。１１０８で、ワイヤレスデバイスは、アンビギュイティを解消するために１つまたは複数のアクションを講じる。１１１０で、ワイヤレスデバイスは、その１つまたは複数の値のうちの少なくとも１つに基づいて、その装置のその別の装置と比べたロケーションを決定する。
【００７４】
[0086]  ある態様では、図７を参照して上で説明されたように、アンビギュイティを解消するために講じられる１つまたは複数のアクションは、考慮事項から１つまたは複数の値のうちのいくつかを除外することと、値のうちの少なくとも残りの１つまたは複数に基づいて、そのワイヤレスデバイスのその別の装置と比べたロケーションを決定することと、を含み得る。ある態様では、アンビギュイティを解消するために講じられる１つまたは複数のアクションはまた、第３の局にロケーション報告を送信することも含み得る。ある態様に従うと、第３の局が、（例えば、第３の局の視点からワイヤレスデバイスのロケーションを示す１つまたは複数の値を示すことによって）ワイヤレスデバイスがアンビギュイティを解消するのを助け得る。別の態様では、（例えば、図８を参照して説明された）「受信側」ワイヤレスデバイスがまた、第３の局にロケーション報告を送信し得る。
【００７５】
[0087]  上で説明された方法の様々な動作は、対応する機能を行う能力を有するあらゆる適した手段によって行われ得る。手段は、回路、特定用途向け集積回路（ＡＳＩＣ）、またはプロセッサを含むがそれらに限定されない、様々なハードウェアならびに／あるいはソフトウェアコンポーネント（複数を含む）および／またはモジュール（複数を含む）を含み得る。一般に、図で例示される動作が存在する場合、それらの動作は、同様の参照番号を持つ対応する同等の（counterpart）ミーンズプラスファンクションコンポーネントを有し得る。例えば、図９で例示される動作９００は、図９Ａで例示される手段９００Ａに対応する。同様に、図１１で例示される動作１１００は、図１１Ａで例示される手段１１００Ａに対応する。
【００７６】
[0088]  例えば、取得するための手段および受信するための手段は、図２で例示されるアクセスポイント１１０のアンテナ（複数を含む）２２４および／または受信機（例えば、トランシーバの受信機ユニット２２２）、図２で例示されるユーザ端末１２０のアンテナ（複数を含む）２５２および／またはトランシーバ２５４の受信機ユニット、あるいは図３で描写されるアンテナ（複数を含む）３１６および／または受信機３１２を備え得る。出力するための手段および送信するための手段は、図２で例示されるアクセスポイント１１０のアンテナ（複数を含む）２２４および／または送信機（例えば、トランシーバの送信機ユニット２２２）、図２で例示されるユーザ端末１２０のアンテナ（複数を含む）２５２および／またはトランシーバ２５４の送信機ユニット、あるいは図３で描写されるアンテナ（複数を含む）３１６および／または送信機３１０であり得る。
【００７７】
[0089]  処理するための手段、生成するための手段、決定するための手段、講じるための手段、除外するための手段、示すための手段、または計算するための手段は、図２で例示されるアクセスポイント１１０のＲＸデータプロセッサ２４２、ＴＸデータプロセッサ２１０、および／またはコントローラ２３０、図２で例示されるユーザ端末１２０のＲＸデータプロセッサ２７０、ＴＸデータプロセッサ２８８、および／またはコントローラ２８０、あるいは図３で描かれるプロセッサ３０４および／またはＤＰＳ３２０、のような１つまたは複数のプロセッサを含み得る処理システムを備える。
【００７８】
[0090]  いくつかのケースでは、フレームを実際に送信するのではなく、デバイスは、送信のためにフレームを出力するためのインタフェースを有し得る。例えば、プロセッサは、バスインタフェースを介して、送信のために無線周波数（ＲＦ）フロントエンドにフレームを出力し得る。同様に、フレームを実際に受信するのではなく、デバイスは、別のデバイスから受信されたフレームを取得するためのインタフェースを有し得る。例えば、プロセッサは、バスインタフェースを介して、受信のためにＲＦフロントエンドからフレームを取得（または受信）し得る。
【００７９】
[0091]  ある特定の態様に従うと、こうした手段は、ローテーションを決定するための上で説明された様々なアルゴリズムを（例えば、ハードウェアにおいて、またはソフトウェア命令を実行することによって）実施することによって、対応する機能を行うように構成された処理システムによって実施され得る。
【００８０】
[0092]  本明細書で使用される場合、「決定する」という用語は、幅広い種類のアクションを包含する。例えば、「決定する」は、計算する、コンピューティングする、処理する、導出する、測定する、調査する、検索する（例えば、テーブル、データベース、または別のデータ構造を検索する）、確定する等を含み得る。また、「決定する」は、受信する（例えば、情報を受信する）、アクセスする（例えば、メモリにおけるデータにアクセスする）等を含み得る。また、「決定する」は、解消する、選択する、除外する、選ぶ、確立する等を含み得る。
【００８１】
[0093]  本明細書で使用される場合、項目のリスト「のうちの少なくとも１つ」を指すフレーズは、単一のメンバを含む、それらの項目のいずれの組合せも指す。例として、「ａ、ｂ、またはｃのうちの少なくとも１つ」は、同じメンバの複数を含むあらゆるこうしたリスト（例えば、ａａ、ｂｂ、またはｃｃを含むあらゆるリスト）と同じく、ａ、ｂ、ｃ、ａ−ｂ、ａ−ｃ、ｂ−ｃ、およびａ−ｂ−ｃをカバーするように意図される。
【００８２】
[0094]  本開示に関連して説明された、様々な例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、ディスクリートゲートまたはトランジスタ論理回路、ディスクリートハードウェアコンポーネント、あるいは本明細書で説明される機能を行うように設計された、それらのあらゆる組合せを用いて実施または行われ得る。汎用プロセッサはマイクロプロセッサであり得るが、その代わりに、プロセッサは、任意の商業的に利用可能なプロセッサ、コントローラ、マイクロコントローラ、またはステートマシンであり得る。プロセッサはまた、コンピューティングデバイスの組合せ、例えば、ＤＳＰとマイクロプロセッサの組合せ、複数のマイクロプロセッサ、ＤＳＰコアと連結した１つまたは複数のマイクロプロセッサ、またはあらゆる他のそうした構成、としても実施され得る。
【００８３】
[0095]  本開示に関連して説明される方法またはアルゴリズムのステップは、ハードウェアで直接、プロセッサによって実行されるソフトウェアモジュールで、またはその２つの組合せで、具現化され得る。ソフトウェアモジュールは、当技術分野で知られているあらゆる形態の記憶媒体に存在し得る。使用され得る記憶媒体のいくつかの例は、ランダムアクセスメモリ（ＲＡＭ）、読取専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭ等を含む。ソフトウェアモジュールは、単一の命令または多くの命令を備え得、いくつかの異なるコードセグメントにわたって、異なるプログラム間で、および複数の記憶媒体間で、分散され得る。記憶媒体は、プロセッサが記憶媒体から情報を読み取り、記憶媒体に情報を書き込み得るように、プロセッサに結合され得る。代わりとして、記憶媒体は、プロセッサに不可欠であり得る。
【００８４】
[0096]  本明細書で開示される方法は、説明される方法を達成するための１つまたは複数のステップまたはアクションを備える。方法のステップおよび／またはアクションは、請求項の範囲から逸脱することなく、互いに置き換えられ得る。言い換えると、ステップまたはアクションの具体的な順序が指定されない限り、具体的なステップおよび／またはアクションの順序および／または使用は、請求項の範囲から逸脱することなく修正され得る。
【００８５】
[0097]  説明される機能は、ハードウェア、ソフトウェア、ファームウェア、またはそれらのあらゆる組合せにおいて実施され得る。ハードウェアにおいて実施される場合、実例的なハードウェア構成は、ワイヤレスノードにおける処理システムを備え得る。処理システムは、バスアーキテクチャを用いて実施され得る。バスは、処理システムの具体的なアプリケーションおよび全体の設計制約に依存して、いずれの数の相互接続するバスおよびブリッジも含み得る。バスは、プロセッサ、機械可読媒体、およびバスインタフェースを含む様々な回路を互いにリンクさせ得る。バスインタフェースは、とりわけ、ネットワークアダプタをバスを介して処理システムに接続するために使用され得る。ネットワークアダプタは、ＰＨＹレイヤの信号処理機能を実施するために使用され得る。ＵＴ１２０（図１を参照）のケースでは、ユーザインタフェース（例えば、キーパッド、ディスプレイ、マウス、ジョイスティック等）もまた、バスに接続され得る。バスはまた、タイミングソース、周辺機器、電圧レギュレータ、電力管理回路等のような様々な他の回路をリンクさせ得、これらは、当該技術分野において周知であり、したがってこれ以上説明されない。
【００８６】
[0098]  プロセッサは、機械可読媒体上に記憶されたソフトウェアの実行を含む、一般的な処理、およびバスを管理することを担い得る。プロセッサは、１つまたは複数の汎用および／または専用プロセッサを用いて実施され得る。例は、マイクロプロセッサ、マイクロコントローラ、ＤＳＰプロセッサ、およびソフトウェアを実行し得る他の回路を含む。ソフトウェアは、ソフトウェア、ファームウェア、ミドルウェア、マイクロコード、ハードウェア記述言語、または違った形のいずれで称されるかに関わらず、命令、データ、またはそれらのあらゆる組合せを意味するように広く解釈されるものとする。機械可読媒体は、例として、ＲＡＭ（ランダムアクセスメモリ）、フラッシュメモリ、ＲＯＭ（読取専用メモリ）、ＰＲＯＭ（プログラマブル読取専用メモリ）、ＥＰＲＯＭ（消去可能なプログラマブル読取専用メモリ）、ＥＥＰＲＯＭ（電気的に消去可能なプログラマブル読取専用メモリ）、レジスタ、磁気ディスク、光学ディスク、ハードドライブ、またはあらゆる他の適した記憶媒体、あるいはそれらのあらゆる組合せを含み得る。機械可読媒体は、コンピュータプログラム製品で具現化され得る。コンピュータプログラム製品は、パッケージ材料を備え得る。
【００８７】
[0099]  ハードウェア実施では、機械可読媒体は、プロセッサとは別個の処理システムの一部であり得る。しかしながら、当業者が容易に認識することになるように、機械可読媒体、またはそのいずれの一部も、処理システムの外部にあり得る。例として、機械可読媒体は、伝送回線、データによって変調された搬送波（carrier wave）、および／またはワイヤレスノードとは別個のコンピュータ製品を含み、その全てはバスインタフェースを通じてプロセッサによってアクセスされ得る。代わりとして、または加えて、機械可読媒体、またはそのいずれの一部も、キャッシュ、および／または一般的なレジスタファイルを伴うような場合（such as the case may be）、プロセッサに一体化され得る。
【００８８】
[00100]  処理システムは、全てが外部バスアーキテクチャを通じて他のサポート回路とともにリンクされる、プロセッサ機能を提供する１つまたは複数のマイクロプロセッサ、および機械可読媒体の少なくとも一部を提供する外部メモリを持つ汎用処理システムとして構成され得る。代わりとして、処理システムは、プロセッサ、バスインタフェース、アクセス端末のケースでは）ユーザインタフェース、サポート回路、および単一のチップに一体化された機械可読媒体の少なくとも一部を持つＡＳＩＣ（特定用途向け集積回路）を用いて、あるいは１つまたは複数のＦＰＧＡ（フィールドプログラマブルゲートアレイ）、ＰＬＤ（プログラムマブル論理デバイス）、コントローラ、ステートマシン、ゲート論理、ディスクリートハードウェアコンポーネント、もしくはあらゆる他の適した回路、または本開示全体を通して説明される様々な機能を行い得る回路のあらゆる組合せを用いて実施され得る。当業者は、全体のシステムに課された全体の設計制約および特定のアプリケーションに依存して処理システムに関する説明された機能をどのように実施することが最善であるかを明確に理解するであろう。
【００８９】
[00101]  機械可読媒体は、ある数のソフトウェアモジュールを備え得る。ソフトウェアモジュールは、プロセッサによって実行されるときに、処理システムに様々な機能を行わせる命令を含む。ソフトウェアモジュールは、送信モジュールおよび受信側モジュールを含み得る。各ソフトウェアモジュールは、単一の記憶デバイスに存在し得る、または複数の記憶デバイス間で分散され得る。例として、ソフトウェアモジュールは、トリガイベントが生じるときに、ハードドライブからＲＡＭにロードされ得る。ソフトウェアモジュールの実行中に、プロセッサは、アクセススピードを増加させるために、命令のうちのいくつかをキャッシュにロードし得る。１つまたは複数のキャッシュラインがその後、プロセッサによる実行のために汎用レジスタファイルにロードされ得る。以下でソフトウェアモジュールの機能を指すとき、そうした機能は、そのソフトウェアモジュールからの命令を実行するときにプロセッサによって実施されることが理解されるであろう。
【００９０】
[00102]  ソフトウェアで実施される場合、機能は、コンピュータ可読媒体上で１つまたは複数の命令またはコードとして、記憶または送信され得る。コンピュータ可読媒体は、ある場所から別の場所へのコンピュータプログラムの転送を容易にするあらゆる媒体を含む通信媒体およびコンピュータ記憶媒体の両方を含む。記憶媒体は、コンピュータによってアクセスされ得るあらゆる利用可能な媒体であり得る。限定ではなく例として、そうしたコンピュータ可読媒体は、ＲＡＭ、ＲＯＭ、ＥＥＰＲＯＭ、ＣＤ−ＲＯＭまたは他の光学ディスクストレージ、磁気ディスクストレージまたは他の磁気記憶デバイス、あるいは、データ構造または命令の形態で所望のプログラムコードを記憶または搬送するために使用され得る、かつコンピュータによってアクセスされ得るあらゆる他の媒体を備え得る。また、いずれの接続手段もコンピュータ可読媒体と適切に名付けられる。例えば、ソフトウェアが、ウェブサイトから、サーバから、あるいは同軸ケーブル、光ファイバケーブル、ツイストペア、デジタル加入者線（ＤＳＬ）、または赤外線（ＩＲ）、無線、およびマイクロ波のようなワイヤレス技術を使用する他の遠隔ソースから送信される場合、同軸ケーブル、光ファイバケーブル、ツイストペア、ＤＳＬ、または赤外線、無線、およびマイクロ波のようなワイヤレス技術は、媒体の定義に含まれる。本明細書で使用される場合、ディスク（disk）およびディスク（disc）は、コンパクトディスク（ＣＤ：compact disc）、レーザーディスク（登録商標）（laser disc）、光学ディスク（optical disc）、デジタルバーサタイルディスク（ＤＶＤ：digital versatile disc）、フロッピー（登録商標）ディスク（floppy disk）、およびブルーレイディスク（Blu-ray（登録商標） disc）を含み、ここで、ディスク（disc）がレーザーを用いて光学的にデータを再生する一方で、ディスク（disk）は大抵磁気的にデータを再生する。従って、いくつかの態様では、コンピュータ可読媒体は、非一時的なコンピュータ可読媒体（例えば、有体媒体）を備え得る。加えて、他の態様では、コンピュータ可読媒体は、一時的なコンピュータ可読媒体（例えば、信号）を備え得る。上記の組合せもまた、コンピュータ可読媒体の範囲内に含まれるべきである。
【００９１】
[00103]  従って、ある特定の態様は、本明細書で提示される動作を行うためのコンピュータプログラム製品を備え得る。例えば、こうしたコンピュータプログラム製品は、命令が記憶（および／または符号化）されたコンピュータ可読媒体を備え得、命令は、本明細書で説明される動作を行うように１つまたは複数のプロセッサによって実行可能である。ある特定の態様では、コンピュータプログラム製品は、パッケージ材料を含み得る。
【００９２】
[00104]  さらに、本明細書で説明される方法および技法を行うためのモジュールおよび／または他の適切な手段がダウンロードされ得る、および／または適用可能である場合、ＵＴおよび／または基地局によって違った形で取得され得ることは認識されるべきである。例えば、そうしたデバイスは、本明細書で説明される方法を行うための手段の転送を容易にするように、サーバに結合され得る。代わりとして、本明細書で説明される様々な方法は、記憶手段（例えば、ＲＡＭ、ＲＯＭ、コンパクトディスク（ＣＤ）またはフロッピーディスクのような物理記憶媒体等）を介して、ＵＴおよび／または基地局が、デバイスに記憶手段を結合または提供する際に様々な方法を取得し得るように、提供され得る。さらに、本明細書で説明される方法および技法をデバイスに提供するためのあらゆる他の適した技法が、利用され得る。
【００９３】
[00105]  請求項が、上で例示された精確な構成およびコンポーネントに限定されないことは理解されることとなる。請求項の範囲から逸脱することなく、上で説明された方法および装置の配列、動作、および詳細において、様々な修正、変化、およびバリエーションがなされ得る。
【図１】
2018505406.tif 000003
【図２】
2018505406.tif 000004
【図３】
2018505406.tif 000005
【図４】
2018505406.tif 000006
【図５】
2018505406.tif 000007
【図６】
2018505406.tif 000008
【図７】
2018505406.tif 000009
【図８】
2018505406.tif 000010
【図８Ａ】
2018505406.tif 000011
【図９】
2018505406.tif 000012
【図１０】
2018505406.tif 000013
【図１１】
2018505406.tif 000014
【図１１Ａ】
2018505406.tif 000015
【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
少なくとも１つの受信アンテナを介して、別の装置から送信された信号を取得するように構成された受信インタフェースと、
前記少なくとも１つの受信アンテナで受信されるような前記信号の少なくとも１つのパラメータに基づいて、前記装置の前記別の装置と比べた向きを示す１つまたは複数の値を決定することと、
前記比べた向きを示す前記決定された１つまたは複数の値の正確性の度合いのインジケーションを備える少なくとも１つのフレームを生成することと、正確性の前記度合いの前記インジケーションは、前記比べた向きを示す前記決定された１つまたは複数の値におけるアンビギュイティのインジケーションを備える、
をするように構成された処理システムと、
前記別の装置への送信のために前記少なくとも１つのフレームを出力するように構成された送信インタフェースと、
を備える、装置。
【請求項２】
前記少なくとも１つの受信アンテナは、複数の受信アンテナを備え、前記少なくとも１つのパラメータは、前記複数の受信アンテナで受信されるような前記信号の位相の差を備える、請求項１に記載の装置。
【請求項３】
前記向きを示す前記１つまたは複数の値は、前記装置の前記別の装置と比べた方位角、仰角、ロール、または距離のうちの少なくとも１つを備える、請求項１に記載の装置。
【請求項４】
前記比べた向きの正確性の前記度合いの前記インジケーションは、前記少なくとも１つのパラメータの値に基づいて決定された異なる値の数のインジケーションを介して提供される、請求項１に記載の装置。
【請求項５】
前記処理システムは、前記少なくとも１つのフレームにおいて前記異なる値のうちの少なくとも１つを提供するように構成される、請求項４に記載の装置。
【請求項６】
前記処理システムは、複数の追加のフレームを生成するように構成され、前記複数の追加のフレームの各々は、前記異なる値の１つを含む、請求項４に記載の装置。
【請求項７】
前記処理システムは、前記少なくとも１つのフレームに前記異なる値のうちの少なくとも２つを含むように構成される、請求項４に記載の装置。
【請求項８】
ワイヤレス通信のための装置であって、
別の装置への送信のために信号を出力するように構成された送信インタフェースと、
前記別の装置の前記装置と比べた向きを示す１つまたは複数の値を含む少なくとも１つのフレームを取得するように構成された受信機インタフェースと、
前記別の装置から受信されたインジケーションに基づいて、前記比べた向きを示す前記１つまたは複数の値の正確性の度合いを決定することと、正確性の前記度合いの前記インジケーションは、前記比べた向きを示す前記決定された１つまたは複数の値におけるアンビギュイティのインジケーションを備える、
前記１つまたは複数の値のうちの少なくとも１つに基づいて、前記装置の前記別の装置と比べたロケーションを決定することと、
をするように構成された処理システムと、
を備える、装置。
【請求項９】
前記処理システムは、前記１つまたは複数の値における考えられるアンビギュイティを決定することによって、前記１つまたは複数の値の正確性の前記度合いを決定するように構成され、前記１つまたは複数の値は、前記信号が前記別の装置によって受信された方位角、仰角、ロール、または距離のうちの少なくとも１つを示す、請求項８に記載の装置。
【請求項１０】
前記処理システムは、前記アンビギュイティを解消するために１つまたは複数のアクションを講じるようにさらに構成され、前記アンビギュイティを解消するために講じられる前記１つまたは複数のアクションは、考慮事項から前記１つまたは複数の値のうちの１つまたは複数を除外することと、前記値のうちの残りの１つまたは複数に基づいて、前記装置の前記別の装置と比べた前記ロケーションを決定することと、を備える、請求項９に記載の装置。
【請求項１１】
前記別の装置によって提供される前記インジケーションは、前記別の装置で受信されるような前記信号のための少なくとも１つのパラメータに基づいて、前記向きに関して決定された異なる値の数のインジケーションを備える、請求項８に記載の装置。
【請求項１２】
前記少なくとも１つのパラメータは、前記別の装置の複数の受信アンテナで受信されるような前記信号の位相の差を備える、請求項１１に記載の装置。
【請求項１３】
前記少なくとも１つのフレームは、前記インジケーションを備える、請求項１１に記載の装置。
【請求項１４】
前記少なくとも１つのフレームは、各々が前記異なる値のうちの１つを含む、複数の異なるフレームを備える、請求項１１に記載の装置。
【請求項１５】
前記少なくとも１つのフレームは、前記異なる値のうちの少なくとも２つを含む単一のフレームを備える、請求項１１に記載の装置。
【請求項１６】
装置によるワイヤレス通信のための方法であって、
少なくとも１つの受信アンテナを介して、別の装置から送信された信号を取得することと、
前記少なくとも１つの受信アンテナで受信されるような前記信号の少なくとも１つのパラメータに基づいて、前記装置の前記別の装置と比べた向きを示す１つまたは複数の値を決定することと、
前記比べた向きを示す前記決定された１つまたは複数の値の正確性の度合いのインジケーションを備える少なくとも１つのフレームを生成することと、正確性の前記度合いの前記インジケーションは、前記比べた向きを示す前記決定された１つまたは複数の値におけるアンビギュイティのインジケーションを備える、
前記別の装置への送信のために前記少なくとも１つのフレームを出力することと、
を備える、方法。
【請求項１７】
前記少なくとも１つの受信アンテナは、複数の受信アンテナを備え、前記少なくとも１つのパラメータは、前記複数の受信アンテナで受信されるような前記信号の位相の差を備える、請求項１６に記載の方法。
【請求項１８】
前記向きを示す前記１つまたは複数の値は、前記装置の前記別の装置と比べた方位角、仰角、ロール、または距離のうちの少なくとも１つを備える、請求項１６に記載の方法。
【請求項１９】
前記少なくとも１つのフレームを生成することは、前記少なくとも１つのパラメータの値に基づいて決定された異なる値の数のインジケーションを介して前記比べた向きの正確性の前記度合いの前記インジケーションを提供することを備える、請求項１６に記載の方法。
【請求項２０】
前記少なくとも１つのフレームを生成することは、前記少なくとも１つのフレームにおいて前記異なる値のうちの少なくとも１つを提供することを備える、請求項１９に記載の方法。
【請求項２１】
複数の追加のフレームを生成することをさらに備え、前記複数の追加のフレームの各々は、前記異なる値のうちの１つを含む、請求項１９に記載の方法。
【請求項２２】
前記少なくとも１つのフレームを生成することは、前記少なくとも１つのフレームに前記異なる値のうちの少なくとも２つを含むことを備える、請求項１９に記載の方法。
【請求項２３】
装置によるワイヤレス通信のための方法であって、
別の装置への送信のために信号を出力することと、
前記別の装置の前記装置と比べた向きを示す１つまたは複数の値を含む少なくとも１つのフレームを取得することと、
前記別の装置から受信されたインジケーションに基づいて、前記比べた向きを示す前記１つまたは複数の値の正確性の度合いを決定することと、正確性の前記度合いの前記インジケーションは、前記比べた向きを示す前記決定された１つまたは複数の値におけるアンビギュイティのインジケーションを備える、
前記１つまたは複数の値のうちの少なくとも１つに基づいて、前記装置の前記別の装置と比べたロケーションを決定することと、
を備える、方法。
【請求項２４】
前記１つまたは複数の値の正確性の前記度合いを決定することは、前記１つまたは複数の値における考えられるアンビギュイティを決定することを備え、前記１つまたは複数の値は、前記信号が前記別の装置によって受信された方位角、仰角、ロール、または距離のうちの少なくとも１つを示す、請求項２３に記載の方法。
【請求項２５】
前記アンビギュイティを解消するために１つまたは複数のアクションを講じることをさらに備え、前記アンビギュイティを解消するために１つまたは複数のアクションを講じることは、
考慮事項から前記１つまたは複数の値のうちの１つまたは複数を除外することと、
前記値のうちの残りの１つまたは複数に基づいて、前記装置の前記別の装置と比べた前記ロケーションを決定することと、
を備える、請求項２４に記載の方法。
【請求項２６】
前記別の装置によって提供される前記インジケーションは、前記別の装置で受信されるような前記信号のための少なくとも１つのパラメータに基づいて、前記向きに関して決定された異なる値の数のインジケーションを備える、請求項２３に記載の方法。
【請求項２７】
前記少なくとも１つのパラメータは、前記別の装置の複数の受信アンテナで受信されるような前記信号の位相の差を備える、請求項２６に記載の方法。
【請求項２８】
前記少なくとも１つのフレームは、前記インジケーションを備える、請求項２６に記載の方法。
【請求項２９】
前記少なくとも１つのフレームは、各々が前記異なる値のうちの１つを含む、複数の異なるフレームを備える、請求項２６に記載の方法。
【請求項３０】
前記少なくとも１つのフレームは、前記異なる値のうちの少なくとも２つを含む単一のフレームを備える、請求項２６に記載の方法。
【請求項３１】
ワイヤレス通信のための装置であって、
装置によって、少なくとも１つの受信アンテナを介して、別の装置から送信された信号を取得するための手段と、
前記少なくとも１つの受信アンテナで受信されるような前記信号の少なくとも１つのパラメータに基づいて、前記装置の前記別の装置と比べた向きを示す１つまたは複数の値を決定するための手段と、
前記比べた向きを示す前記決定された１つまたは複数の値の正確性の度合いのインジケーションを備える少なくとも１つのフレームを生成するための手段と、正確性の前記度合いの前記インジケーションは、前記比べた向きを示す前記決定された１つまたは複数の値におけるアンビギュイティのインジケーションを備える、
前記別の装置への送信のために前記少なくとも１つのフレームを出力するための手段と、
を備える、装置。
【請求項３２】
前記少なくとも１つの受信アンテナは、複数の受信アンテナを備え、前記少なくとも１つのパラメータは、前記複数の受信アンテナで受信されるような前記信号の位相の差を備える、請求項３１に記載の装置。
【請求項３３】
前記向きを示す前記１つまたは複数の値は、前記装置の前記別の装置と比べた方位角、仰角、ロール、または距離のうちの少なくとも１つを備える、請求項３１に記載の装置。
【請求項３４】
前記少なくとも１つのフレームを生成するための前記手段は、前記少なくとも１つのパラメータの値に基づいて決定された異なる値の数のインジケーションを介して前記比べた向きの正確性の前記度合いの前記インジケーションを提供するための手段を備える、請求項３１に記載の装置。
【請求項３５】
前記少なくとも１つのフレームを生成するための前記手段は、前記少なくとも１つのフレームにおいて前記異なる値のうちの少なくとも１つを提供するための手段を備える、請求項３４に記載の装置。
【請求項３６】
複数の追加のフレームを生成するための手段をさらに備え、前記複数の追加のフレームの各々は、前記異なる値のうちの１つを含む、請求項３４に記載の装置。
【請求項３７】
前記少なくとも１つのフレームを生成するための前記手段は、前記少なくとも１つのフレームに前記異なる値のうちの少なくとも２つを含むための手段を備える、請求項３４に記載の装置。
【請求項３８】
ワイヤレス通信のための装置であって、
別の装置への送信のために信号を出力するための手段と、
前記別の装置の前記装置と比べた向きを示す１つまたは複数の値を含む少なくとも１つのフレームを取得するための手段と、
前記別の装置から受信されたインジケーションに基づいて、前記比べた向きを示す前記１つまたは複数の値の正確性の度合いを決定するための手段と、正確性の前記度合いの前記インジケーションは、前記比べた向きを示す前記決定された１つまたは複数の値におけるアンビギュイティのインジケーションを備える、
前記１つまたは複数の値のうちの少なくとも１つに基づいて、前記装置の前記別の装置と比べたロケーションを決定するための手段と、
を備える、装置。
【請求項３９】
前記１つまたは複数の値の正確性の前記度合いを決定するための前記手段は、前記１つまたは複数の値における考えられるアンビギュイティを決定するための手段を備え、前記１つまたは複数の値は、前記信号が前記別の装置によって受信された方位角、仰角、ロール、または距離のうちの少なくとも１つを示す、請求項３８に記載の装置。
【請求項４０】
前記アンビギュイティを解消するために１つまたは複数のアクションを講じるための手段をさらに備え、１つまたは複数アクションを講じるための前記手段は、考慮事項から前記１つまたは複数の値のうちの１つまたは複数を除外するための手段、および前記値のうちの残りの１つまたは複数に基づいて、前記装置の前記別の装置と比べた前記ロケーションを決定するための手段を備える、請求項３９に記載の装置。
【請求項４１】
前記別の装置によって提供される前記インジケーションは、前記別の装置で受信されるような前記信号のための少なくとも１つのパラメータに基づいて、前記向きに関して決定された異なる値の数のインジケーションを備える、請求項３８に記載の装置。
【請求項４２】
前記少なくとも１つのパラメータは、前記別の装置の複数の受信アンテナで受信されるような前記信号の位相の差を備える、請求項４１に記載の装置。
【請求項４３】
前記少なくとも１つのフレームは、前記インジケーションを備える、請求項４１に記載の装置。
【請求項４４】
前記少なくとも１つのフレームは、各々が前記異なる値のうちの１つを含む、複数の異なるフレームを備える、請求項４１に記載の装置。
【請求項４５】
前記少なくとも１つのフレームは、前記異なる値のうちの少なくとも２つを含む単一のフレームを備える、請求項４１に記載の装置。
【請求項４６】
命令を記憶したコンピュータ可読媒体であって、前記命令は、
装置によって、少なくとも１つの受信アンテナを介して、別の装置から送信された信号を取得することと、
前記装置によって、前記少なくとも１つの受信アンテナで受信されるような前記信号の少なくとも１つのパラメータに基づいて、前記装置の前記別の装置と比べた向きを示す１つまたは複数の値を決定することと、
前記装置によって、前記比べた向きを示す前記決定された１つまたは複数の値の正確性の度合いのインジケーションを備える少なくとも１つのフレームを生成することと、正確性の前記度合いの前記インジケーションは、前記比べた向きを示す前記決定された１つまたは複数の値におけるアンビギュイティのインジケーションを備える、
前記装置によって、前記別の装置への送信のために前記少なくとも１つのフレームを出力することと、
のためのものである、コンピュータ可読媒体。
【請求項４７】
命令を記憶したコンピュータ可読媒体であって、前記命令は、
装置によって、別の装置への送信のために信号を出力することと、
前記装置によって、前記別の装置の前記装置と比べた向きを示す１つまたは複数の値を含む少なくとも１つのフレームを取得することと、
前記装置によって、前記別の装置から受信されたインジケーションに基づいて、前記比べた向きを示す前記１つまたは複数の値の正確性の度合いを決定することと、正確性の前記度合いの前記インジケーションは、前記比べた向きを示す前記決定された１つまたは複数の値におけるアンビギュイティのインジケーションを備える、
前記装置によって、前記１つまたは複数の値のうちの少なくとも１つに基づいて、前記装置の前記別の装置と比べたロケーションを決定することと、
のためのものである、コンピュータ可読媒体。
【請求項４８】
ワイヤレス局であって、
少なくとも１つのアンテナと、
前記少なくとも１つの受信アンテナを介して、別の局から送信された信号を取得するように構成された受信機と、
前記少なくとも１つの受信アンテナで受信されるような前記信号の少なくとも１つのパラメータに基づいて、前記局の前記別の局と比べた向きを示す１つまたは複数の値を決定することと、
前記比べた向きを示す前記決定された１つまたは複数の値の正確性の度合いのインジケーションを備える少なくとも１つのフレームを生成することと、正確性の前記度合いの前記インジケーションは、前記比べた向きを示す前記決定された１つまたは複数の値におけるアンビギュイティのインジケーションを備える、
をするように構成された処理システムと、
前記別の局への送信のために前記少なくとも１つのフレームを出力するように構成された送信機と、
を備える、ワイヤレス局。
【請求項４９】
ワイヤレス局であって、
少なくとも１つのアンテナと、
前記少なくとも１つの受信アンテナを介して、別の局への送信のために信号を出力するように構成された送信機と、
前記別の局の前記局と比べた向きを示す１つまたは複数の値を含む少なくとも１つのフレームを取得するように構成された受信機と、
前記別の局から受信されたインジケーションに基づいて、前記比べた向きを示す前記１つまたは複数の値における考えられるアンビギュイティを決定することと、正確性の前記度合いの前記インジケーションは、前記比べた向きを示す前記決定された１つまたは複数の値におけるアンビギュイティのインジケーションを備える、
前記１つまたは複数の値のうちの少なくとも１つに基づいて、前記局の前記別の局と比べたロケーションを決定することと、
をするように構成された処理システムと、
を備える、ワイヤレス局。
【手続補正２】
【補正対象書類名】明細書
【補正対象項目名】００９３
【補正方法】変更
【補正の内容】
【００９３】
[00105]  請求項が、上で例示された精確な構成およびコンポーネントに限定されないことは理解されることとなる。請求項の範囲から逸脱することなく、上で説明された方法および装置の配列、動作、および詳細において、様々な修正、変化、およびバリエーションがなされ得る。
以下に、本願の出願当初の特許請求の範囲に記載された発明を付記する。
［Ｃ１］
ワイヤレス通信のための装置であって、
少なくとも１つの受信アンテナを介して、別の装置から送信された信号を取得するように構成された受信インタフェースと、
前記少なくとも１つの受信アンテナで受信されるような前記信号の少なくとも１つのパラメータに基づいて、前記装置の前記別の装置と比べた向きを示す１つまたは複数の値を決定することと、
前記比べた向きを示す前記決定された１つまたは複数の値の正確性の度合いのインジケーションを備える少なくとも１つのフレームを生成することと、
をするように構成された処理システムと、
前記別の装置への送信のために前記少なくとも１つのフレームを出力するように構成された送信インタフェースと、
を備える、装置。
［Ｃ２］
前記少なくとも１つの受信アンテナは、複数の受信アンテナを備え、前記少なくとも１つのパラメータは、前記複数の受信アンテナで受信されるような前記信号の位相の差を備える、Ｃ１に記載の装置。
［Ｃ３］
前記向きを示す前記１つまたは複数の値は、前記装置の前記別の装置と比べた方位角、仰角、ロール、または距離のうちの少なくとも１つを備える、Ｃ１に記載の装置。
［Ｃ４］
前記比べた向きの正確性の前記度合いの前記インジケーションは、前記少なくとも１つのパラメータの値に基づいて決定された異なる値の数のインジケーションを介して提供される、Ｃ１に記載の装置。
［Ｃ５］
前記処理システムは、前記少なくとも１つのフレームにおいて前記異なる値のうちの少なくとも１つを提供するように構成される、Ｃ４に記載の装置。
［Ｃ６］
前記処理システムは、複数の追加のフレームを生成するように構成され、前記複数の追加のフレームの各々は、前記異なる値の１つを含む、Ｃ４に記載の装置。
［Ｃ７］
前記処理システムは、前記少なくとも１つのフレームに前記異なる値のうちの少なくとも２つを含むように構成される、Ｃ４に記載の装置。
［Ｃ８］
ワイヤレス通信のための装置であって、
別の装置への送信のために信号を出力するように構成された送信インタフェースと、
前記別の装置の前記装置と比べた向きを示す１つまたは複数の値を含む少なくとも１つのフレームを取得するように構成された受信機インタフェースと、
前記別の装置から受信されたインジケーションに基づいて、前記比べた向きを示す前記１つまたは複数の値の正確性の度合いを決定することと、
前記１つまたは複数の値のうちの少なくとも１つに基づいて、前記装置の前記別の装置と比べたロケーションを決定することと、
をするように構成された処理システムと、
を備える、装置。
［Ｃ９］
前記処理システムは、前記１つまたは複数の値における考えられるアンビギュイティを決定することによって、前記１つまたは複数の値の正確性の前記度合いを決定するように構成され、前記１つまたは複数の値は、前記信号が前記別の装置によって受信された方位角、仰角、ロール、または距離のうちの少なくとも１つを示す、Ｃ８に記載の装置。
［Ｃ１０］
前記処理システムは、前記アンビギュイティを解消するために１つまたは複数のアクションを講じるようにさらに構成され、前記アンビギュイティを解消するために講じられる前記１つまたは複数のアクションは、考慮事項から前記１つまたは複数の値のうちの１つまたは複数を除外することと、前記値のうちの残りの１つまたは複数に基づいて、前記装置の前記別の装置と比べた前記ロケーションを決定することと、を備える、Ｃ９に記載の装置。
［Ｃ１１］
前記別の装置によって提供される前記インジケーションは、前記別の装置で受信されるような前記信号のための少なくとも１つのパラメータに基づいて、前記向きに関して決定された異なる値の数のインジケーションを備える、Ｃ８に記載の装置。
［Ｃ１２］
前記少なくとも１つのパラメータは、前記別の装置の複数の受信アンテナで受信されるような前記信号の位相の差を備える、Ｃ１１に記載の装置。
［Ｃ１３］
前記少なくとも１つのフレームは、前記インジケーションを備える、Ｃ１１に記載の装置。
［Ｃ１４］
前記少なくとも１つのフレームは、各々が前記異なる値のうちの１つを含む、複数の異なるフレームを備える、Ｃ１１に記載の装置。
［Ｃ１５］
前記少なくとも１つのフレームは、前記異なる値のうちの少なくとも２つを含む単一のフレームを備える、Ｃ１１に記載の装置。
［Ｃ１６］
装置によるワイヤレス通信のための方法であって、
少なくとも１つの受信アンテナを介して、別の装置から送信された信号を取得することと、
前記少なくとも１つの受信アンテナで受信されるような前記信号の少なくとも１つのパラメータに基づいて、前記装置の前記別の装置と比べた向きを示す１つまたは複数の値を決定することと、
前記比べた向きを示す前記決定された１つまたは複数の値の正確性の度合いのインジケーションを備える少なくとも１つのフレームを生成することと、
前記別の装置への送信のために前記少なくとも１つのフレームを出力することと、
を備える、方法。
［Ｃ１７］
前記少なくとも１つの受信アンテナは、複数の受信アンテナを備え、前記少なくとも１つのパラメータは、前記複数の受信アンテナで受信されるような前記信号の位相の差を備える、Ｃ１６に記載の方法。
［Ｃ１８］
前記向きを示す前記１つまたは複数の値は、前記装置の前記別の装置と比べた方位角、仰角、ロール、または距離のうちの少なくとも１つを備える、Ｃ１６に記載の方法。
［Ｃ１９］
前記少なくとも１つのフレームを生成することは、前記少なくとも１つのパラメータの値に基づいて決定された異なる値の数のインジケーションを介して前記比べた向きの正確性の前記度合いの前記インジケーションを提供することを備える、Ｃ１６に記載の方法。
［Ｃ２０］
前記少なくとも１つのフレームを生成することは、前記少なくとも１つのフレームにおいて前記異なる値のうちの少なくとも１つを提供することを備える、Ｃ１９に記載の方法。
［Ｃ２１］
複数の追加のフレームを生成することをさらに備え、前記複数の追加のフレームの各々は、前記異なる値のうちの１つを含む、Ｃ１９に記載の方法。
［Ｃ２２］
前記少なくとも１つのフレームを生成することは、前記少なくとも１つのフレームに前記異なる値のうちの少なくとも２つを含むことを備える、Ｃ１９に記載の方法。
［Ｃ２３］
装置によるワイヤレス通信のための方法であって、
別の装置への送信のために信号を出力することと、
前記別の装置の前記装置と比べた向きを示す１つまたは複数の値を含む少なくとも１つのフレームを取得することと、
前記別の装置から受信されたインジケーションに基づいて、前記比べた向きを示す前記１つまたは複数の値の正確性の度合いを決定することと、
前記１つまたは複数の値のうちの少なくとも１つに基づいて、前記装置の前記別の装置と比べたロケーションを決定することと、
を備える、方法。
［Ｃ２４］
前記１つまたは複数の値の正確性の前記度合いを決定することは、前記１つまたは複数の値における考えられるアンビギュイティを決定することを備え、前記１つまたは複数の値は、前記信号が前記別の装置によって受信された方位角、仰角、ロール、または距離のうちの少なくとも１つを示す、Ｃ２３に記載の方法。
［Ｃ２５］
前記アンビギュイティを解消するために１つまたは複数のアクションを講じることをさらに備え、前記アンビギュイティを解消するために１つまたは複数のアクションを講じることは、
考慮事項から前記１つまたは複数の値のうちの１つまたは複数を除外することと、
前記値のうちの残りの１つまたは複数に基づいて、前記装置の前記別の装置と比べた前記ロケーションを決定することと、
をさらに備える、Ｃ２４に記載の方法。
［Ｃ２６］
前記別の装置によって提供される前記インジケーションは、前記別の装置で受信されるような前記信号のための少なくとも１つのパラメータに基づいて、前記向きに関して決定された異なる値の数のインジケーションを備える、Ｃ２３に記載の方法。
［Ｃ２７］
前記少なくとも１つのパラメータは、前記別の装置の複数の受信アンテナで受信されるような前記信号の位相の差を備える、Ｃ２６に記載の方法。
［Ｃ２８］
前記少なくとも１つのフレームは、前記インジケーションを備える、Ｃ２６に記載の方法。
［Ｃ２９］
前記少なくとも１つのフレームは、各々が前記異なる値のうちの１つを含む、複数の異なるフレームを備える、Ｃ２６に記載の方法。
［Ｃ３０］
前記少なくとも１つのフレームは、前記異なる値のうちの少なくとも２つを含む単一のフレームを備える、Ｃ２６に記載の方法。
［Ｃ３１］
ワイヤレス通信のための装置であって、
装置によって、少なくとも１つの受信アンテナを介して、別の装置から送信された信号を取得するための手段と、
前記少なくとも１つの受信アンテナで受信されるような前記信号の少なくとも１つのパラメータに基づいて、前記装置の前記別の装置と比べた向きを示す１つまたは複数の値を決定するための手段と、
前記比べた向きを示す前記決定された１つまたは複数の値の正確性の度合いのインジケーションを備える少なくとも１つのフレームを生成するための手段と、
前記別の装置への送信のために前記少なくとも１つのフレームを出力するための手段と、
を備える、装置。
［Ｃ３２］
前記少なくとも１つの受信アンテナは、複数の受信アンテナを備え、前記少なくとも１つのパラメータは、前記複数の受信アンテナで受信されるような前記信号の位相の差を備える、Ｃ３１に記載の装置。
［Ｃ３３］
前記向きを示す前記１つまたは複数の値は、前記装置の前記別の装置と比べた方位角、仰角、ロール、または距離のうちの少なくとも１つを備える、Ｃ３１に記載の装置。
［Ｃ３４］
前記少なくとも１つのフレームを生成するための前記手段は、前記少なくとも１つのパラメータの値に基づいて決定された異なる値の数のインジケーションを介して前記比べた向きの正確性の前記度合いの前記インジケーションを提供するための手段を備える、Ｃ３１に記載の装置。
［Ｃ３５］
前記少なくとも１つのフレームを生成するための前記手段は、前記少なくとも１つのフレームにおいて前記異なる値のうちの少なくとも１つを提供するための手段を備える、Ｃ３４に記載の装置。
［Ｃ３６］
複数の追加のフレームを生成するための手段をさらに備え、前記複数の追加のフレームの各々は、前記異なる値のうちの１つを含む、Ｃ３４に記載の装置。
［Ｃ３７］
前記少なくとも１つのフレームを生成するための前記手段は、前記少なくとも１つのフレームに前記異なる値のうちの少なくとも２つを含むための手段を備える、Ｃ３４に記載の装置。
［Ｃ３８］
ワイヤレス通信のための装置であって、
別の装置への送信のために信号を出力するための手段と、
前記別の装置の前記装置と比べた向きを示す１つまたは複数の値を含む少なくとも１つのフレームを取得するための手段と、
前記別の装置から受信されたインジケーションに基づいて、前記比べた向きを示す前記１つまたは複数の値の正確性の度合いを決定するための手段と、
前記１つまたは複数の値のうちの少なくとも１つに基づいて、前記装置の前記別の装置と比べたロケーションを決定するための手段と、
を備える、装置。
［Ｃ３９］
前記１つまたは複数の値の正確性の前記度合いを決定するための前記手段は、前記１つまたは複数の値における考えられるアンビギュイティを決定するための手段を備え、前記１つまたは複数の値は、前記信号が前記別の装置によって受信された方位角、仰角、ロール、または距離のうちの少なくとも１つを示す、Ｃ３８に記載の装置。
［Ｃ４０］
前記アンビギュイティを解消するために１つまたは複数のアクションを講じるための手段をさらに備え、１つまたは複数アクションを講じるための前記手段は、考慮事項から前記１つまたは複数の値のうちの１つまたは複数を除外するための手段、および前記値のうちの残りの１つまたは複数に基づいて、前記装置の前記別の装置と比べた前記ロケーションを決定するための手段を備える、Ｃ３９に記載の装置。
［Ｃ４１］
前記別の装置によって提供される前記インジケーションは、前記別の装置で受信されるような前記信号のための少なくとも１つのパラメータに基づいて、前記向きに関して決定された異なる値の数のインジケーションを備える、Ｃ３８に記載の装置。
［Ｃ４２］
前記少なくとも１つのパラメータは、前記別の装置の複数の受信アンテナで受信されるような前記信号の位相の差を備える、Ｃ４１に記載の装置。
［Ｃ４３］
前記少なくとも１つのフレームは、前記インジケーションを備える、Ｃ４１に記載の装置。
［Ｃ４４］
前記少なくとも１つのフレームは、各々が前記異なる値のうちの１つを含む、複数の異なるフレームを備える、Ｃ４１に記載の装置。
［Ｃ４５］
前記少なくとも１つのフレームは、前記異なる値のうちの少なくとも２つを含む単一のフレームを備える、Ｃ４１に記載の装置。
［Ｃ４６］
命令を記憶したコンピュータ可読媒体であって、前記命令は、
装置によって、少なくとも１つの受信アンテナを介して、別の装置から送信された信号を取得することと、
前記装置によって、前記少なくとも１つの受信アンテナで受信されるような前記信号の少なくとも１つのパラメータに基づいて、前記装置の前記別の装置と比べた向きを示す１つまたは複数の値を決定することと、
前記装置によって、前記比べた向きを示す前記決定された１つまたは複数の値の正確性の度合いのインジケーションを備える少なくとも１つのフレームを生成することと、
前記装置によって、前記別の装置への送信のために前記少なくとも１つのフレームを出力することと、
のためのものである、コンピュータ可読媒体。
［Ｃ４７］
命令を記憶したコンピュータ可読媒体であって、前記命令は、
装置によって、別の装置への送信のために信号を出力することと、
前記装置によって、前記別の装置の前記装置と比べた向きを示す１つまたは複数の値を含む少なくとも１つのフレームを取得することと、
前記装置によって、前記別の装置から受信されたインジケーションに基づいて、前記比べた向きを示す前記１つまたは複数の値の正確性の度合いを決定することと、
前記装置によって、前記１つまたは複数の値のうちの少なくとも１つに基づいて、前記装置の前記別の装置と比べたロケーションを決定することと、
のためのものである、コンピュータ可読媒体。
［Ｃ４８］
ワイヤレス局であって、
少なくとも１つのアンテナと、
前記少なくとも１つの受信アンテナを介して、別の局から送信された信号を取得するように構成された受信機と、
前記少なくとも１つの受信アンテナで受信されるような前記信号の少なくとも１つのパラメータに基づいて、前記局の前記別の局と比べた向きを示す１つまたは複数の値を決定することと、
前記比べた向きを示す前記決定された１つまたは複数の値の正確性の度合いのインジケーションを備える少なくとも１つのフレームを生成することと、
をするように構成された処理システムと、
前記別の局への送信のために前記少なくとも１つのフレームを出力するように構成された送信機と、
を備える、ワイヤレス局。
［Ｃ４９］
ワイヤレス局であって、
少なくとも１つのアンテナと、
前記少なくとも１つの受信アンテナを介して、別の局への送信のために信号を出力するように構成された送信機と、
前記別の局の前記局と比べた向きを示す１つまたは複数の値を含む少なくとも１つのフレームを取得するように構成された受信機と、
前記別の局から受信されたインジケーションに基づいて、前記比べた向きを示す前記１つまたは複数の値における考えられるアンビギュイティを決定することと、
前記１つまたは複数の値のうちの少なくとも１つに基づいて、前記局の前記別の局と比べたロケーションを決定することと、
をするように構成された処理システムと、
を備える、ワイヤレス局。
【国際調査報告】
2018505406.tif 000016
2018505406.tif 000017
2018505406.tif 000018